(57)【特許請求の範囲】
【請求項１】
圧縮機で圧縮され、かつ凝縮器で凝縮した冷媒を断熱膨張させる膨張弁とともに並列となる態様で配設され、膨張弁で断熱膨張した冷媒を蒸発させる複数の蒸発器を備え、蒸発器で蒸発した冷媒を前記圧縮機に吸引させて冷媒を循環させることにより、前記複数の蒸発器が設けられた各ショーケースの収容庫を所望の温度状態にする冷却システムにおいて、
前記複数の蒸発器のうち対象となる複数の冷凍用蒸発器の下流側であって前記圧縮機の上流側に並列となる態様で配設され、前記冷凍用蒸発器で蒸発した冷媒を吸引して圧縮することにより冷凍用蒸発器での冷媒の蒸発温度を低下させる複数の補助圧縮機と、
前記複数の冷凍用蒸発器の負荷に応じて前記複数の補助圧縮機の運転台数及び運転回転数の少なくとも１つを増減させる補助圧縮制御手段と、
前記ショーケースが設置された室の室内空気を該室の内部と外部との間で循環させる室内空気循環手段と、
前記圧縮機で圧縮され、かつ前記凝縮器で凝縮した冷媒を断熱膨張させる膨張機構とともに前記室の外部に配設され、膨張機構で断熱膨張した冷媒を蒸発させることにより前記室内空気循環手段により循環される室内空気を冷却する空調蒸発器と、
前記室内空気循環手段を構成し、かつ前記空調蒸発器で冷却した空気の前記室への吹出方向を調整する吹出方向調整手段と、
配設された蒸発器の周囲に吸込口を通じて吸い込んだ前記収容庫の庫内空気を通過させ、かつ吹出口を通じて蒸発器を通過して冷却された空気を吹き出す態様で、前記収容庫の庫内空気を該収容庫の内部と外部との間で循環させる庫内空気循環手段と、
前記吸込口を通じて吸い込まれる庫内空気の温度を検出する吸込口温度検出手段と、
前記吹出口を通じて吹き出される庫内空気の温度を検出する吹出口温度検出手段と、
前記収容庫の内部における庫内空気温度を検出する庫内温度検出手段と、
前記吸込口温度検出手段、前記吹出口温度検出手段及び前記庫内温度検出手段により検出される温度のうち少なくとも二つの検出温度が予め設定されたそれぞれの基準温度を超える収容庫が存在する場合には、該収容庫には、前記吹出口を通じて吹き出されて前記吸込口に至る空気に乱れが生じているものとして、該収容庫を備えるショーケースの設置個所周辺に空気を吹き出す前記吹出方向調整手段に指令を与えて該ショーケースに向けて前記空調蒸発器で冷却した空気を吹き出させる吹出方向制御手段と、
前記冷凍用蒸発器における過熱度を算出し、算出した過熱度が予め設定された基準過熱度下限値を下回る場合には、該冷凍用蒸発器から吐出された冷媒が気液２相状態にあると判断する一方、算出した過熱度が予め設定された基準過熱度上限値を超える場合には、該冷凍用蒸発器における冷媒の蒸発完了点が中間部近傍にあると判断する判断手段を備えて成り、
前記補助圧縮制御手段は、前記判断手段により冷凍用蒸発器から吐出された冷媒が気液２相状態であると判断されたものが１つ以上ある場合には、前記複数の補助圧縮機の運転台数及び運転回転数の少なくとも１つを増大させる一方、前記判断手段により冷凍用蒸発器における冷媒の蒸発完了点が中間部近傍にあると判断されたものが１つ以上ある場合には、前記複数の補助圧縮機の運転台数及び運転回転数の少なくとも１つを低減させることを特徴とする冷却システム。
【発明の詳細な説明】
【技術分野】
【０００１】
本発明は、冷却システムに関し、より詳細には、例えばショーケースの収容庫を所望の温度状態にする冷却システムの改良に関するものである。
【背景技術】
【０００２】
例えば、商品を冷却した状態で陳列販売する複数のショーケースでは、それぞれの内部に蒸発器が設けられ、これら蒸発器は、膨張弁とともに並列となる態様で、外部に設けられた圧縮機及び凝縮器と配管にて順次接続されて冷却システムが構成されている。このような冷却システムでは、圧縮機で圧縮された冷媒が凝縮器で凝縮され、各膨張弁で断熱膨張した後に各蒸発器で蒸発し、上記圧縮機に吸引されて循環する。冷媒が各蒸発器で蒸発する際に気化熱を利用してショーケース内の空気の熱を奪うことにより、収容庫を所望の温度状態にしている。
【０００３】
一方、冷凍用ショーケースのように他のショーケースよりも収容庫を冷却するものがある場合、該ショーケースに設けられた蒸発器（以下、冷凍用蒸発器ともいう）の下流側であって圧縮機の上流側には、補助圧縮機が設けられている。補助圧縮機は、冷凍用蒸発器で蒸発した冷媒を吸引して圧縮するものである。これにより、冷凍用蒸発器での冷媒の圧力が低下することにより、冷媒の蒸発温度を低下させることができる。つまり、補助圧縮機を設けた冷却システムでは、共通の圧縮機及び凝縮器に冷媒の蒸発温度が異なる複数の蒸発器を接続することが可能になる（例えば、特許文献１及び特許文献２参照）。
【先行技術文献】
【特許文献】
【０００４】
【特許文献１】特許第３８５５６８３号公報
【特許文献２】実公昭６２−２７８１７号公報
【発明の概要】
【発明が解決しようとする課題】
【０００５】
ところで、上述したような特許文献１及び２に提案されている冷却システムでは、一の冷凍用蒸発器の下流側に一の補助圧縮機が設けられているので、すなわち冷凍用蒸発器と補助圧縮機とが一対一の関係で設けられているので、補助圧縮機の運転回転数を調整することにより冷凍用蒸発器での冷媒の蒸発温度を調整することになる。換言すると、冷凍用蒸発器の負荷に応じて補助圧縮機の運転回転数を調整することになる。
【０００６】
そのため、補助圧縮機は常時運転させる必要があり、運転効率に優れているものとはいえなかった。また、補助圧縮機の運転回転数を低減させて十分に小さくしても冷凍用蒸発器での冷媒の蒸発温度は依然として低い場合もあり、該冷凍用蒸発器での冷却が過大となる虞れがある一方、補助圧縮機の運転回転数を増大させて十分に大きくしても冷凍用蒸発器での冷媒の蒸発温度が依然として高い場合もあり、該冷凍用蒸発器での冷却が不足してしまう虞れがあるという問題があった。
【０００７】
本発明は、上記実情に鑑みて、十分に高い運転効率を得ながら、収容庫を良好に所望の温度状態にすることができる冷却システムを提供することを目的とする。
【課題を解決するための手段】
【０００８】
上記目的を達成するため、本発明の冷却システムは、圧縮機で圧縮され、かつ凝縮器で凝縮した冷媒を断熱膨張させる膨張弁とともに並列となる態様で配設され、膨張弁で断熱膨張した冷媒を蒸発させる複数の蒸発器を備え、蒸発器で蒸発した冷媒を前記圧縮機に吸引させて冷媒を循環させることにより、前記複数の蒸発器が設けられた各ショーケースの収容庫を所望の温度状態にする冷却システムにおいて、前記複数の蒸発器のうち対象となる複数の冷凍用蒸発器の下流側であって前記圧縮機の上流側に並列となる態様で配設され、前記冷凍用蒸発器で蒸発した冷媒を吸引して圧縮することにより冷凍用蒸発器での冷媒の蒸発温度を低下させる複数の補助圧縮機と、前記複数の冷凍用蒸発器の負荷に応じて前記複数の補助圧縮機の運転台数及び運転回転数の少なくとも１つを増減させる補助圧縮制御手段と、前記ショーケースが設置された室の室内空気を該室の内部と外部との間で循環させる室内空気循環手段と、前記圧縮機で圧縮され、かつ前記凝縮器で凝縮した冷媒を断熱膨張させる膨張機構とともに前記室の外部に配設され、膨張機構で断熱膨張した冷媒を蒸発させることにより前記室内空気循環手段により循環される室内空気を冷却する空調蒸発器と、前記室内空気循環手段を構成し、かつ前記空調蒸発器で冷却した空気の前記室への吹出方向を調整する吹出方向調整手段と、配設された蒸発器の周囲に吸込口を通じて吸い込んだ前記収容庫の庫内空気を通過させ、かつ吹出口を通じて蒸発器を通過して冷却された空気を吹き出す態様で、前記収容庫の庫内空気を該収容庫の内部と外部との間で循環させる庫内空気循環手段と、前記吸込口を通じて吸い込まれる庫内空気の温度を検出する吸込口温度検出手段と、前記吹出口を通じて吹き出される庫内空気の温度を検出する吹出口温度検出手段と、前記収容庫の内部における庫内空気温度を検出する庫内温度検出手段と、前記吸込口温度検出手段、前記吹出口温度検出手段及び前記庫内温度検出手段により検出される温度のうち少なくとも二つの検出温度が予め設定されたそれぞれの基準温度を超える収容庫が存在する場合には、該収容庫には、前記吹出口を通じて吹き出されて前記吸込口に至る空気に乱れが生じているものとして、該収容庫を備えるショーケースの設置個所周辺に空気を吹き出す前記吹出方向調整手段に指令を与えて該ショーケースに向けて前記空調蒸発器で冷却した空気を吹き出させる吹出方向制御手段と、前記冷凍用蒸発器における過熱度を算出し、算出した過熱度が予め設定された基準過熱度下限値を下回る場合には、該冷凍用蒸発器から吐出された冷媒が気液２相状態にあると判断する一方、算出した過熱度が予め設定された基準過熱度上限値を超える場合には、該冷凍用蒸発器における冷媒の蒸発完了点が中間部近傍にあると判断する判断手段を備えて成り、前記補助圧縮制御手段は、前記判断手段により冷凍用蒸発器から吐出された冷媒が気液２相状態であると判断されたものが１つ以上ある場合には、前記複数の補助圧縮機の運転台数及び運転回転数の少なくとも１つを増大させる一方、前記判断手段により冷凍用蒸発器における冷媒の蒸発完了点が中間部近傍にあると判断されたものが１つ以上ある場合には、前記複数の補助圧縮機の運転台数及び運転回転数の少なくとも１つを低減させることを特徴とする。
【発明の効果】
【０００９】
本発明の冷却システムによれば、複数の蒸発器のうち対象となる複数の冷凍用蒸発器の下流側であって圧縮機の上流側に並列となる態様で配設された複数の補助圧縮機が、冷凍用蒸発器で蒸発した冷媒を吸引して圧縮することにより冷凍用蒸発器での冷媒の蒸発温度を低下させ、補助圧縮制御手段が、複数の冷凍用蒸発器の負荷に応じて複数の補助圧縮機の運転台数及び運転回転数の少なくとも１つを増減させるので、全ての補助圧縮機を常時運転させる必要はない。しかも、冷凍用蒸発器と補助圧縮機とが複数対複数の関係になっていることから、補助圧縮機の運転回転数だけでなく、運転台数を増減させることにより、各冷凍用蒸発器の冷媒の蒸発温度を制御することができ、各冷凍用蒸発器での冷却をきめ細かく調整することができる。従って、十分に高い運転効率を得ながら、収容庫を良好に所望の温度状態にすることができるという効果を奏する。
【図面の簡単な説明】
【００１０】
【図１】本発明の実施の形態１である冷却システムを模式的に示す模式図である。
【図２】図１に示した冷却システムの要部を模式的に示す模式図である。
【図３】図１に示した冷却システムの要部を模式的に示す模式図である。
【図４】図１に示した冷却システムの制御系を示すブロック図である。
【図５】制御ユニットが実施する冷凍電磁弁制御処理の内容を示すフローチャートである。
【図６】制御ユニットが実施するブースターユニット制御処理（１）の内容を示すフローチャートである。
【図７】冷凍能力判断条件を示す図表である。
【図８】制御ユニットが実施する冷凍電磁弁制御処理の内容を示すフローチャートである。
【図９】制御ユニットが実施する圧縮機駆動制御処理（１）の内容を示すフローチャートである。
【図１０】制御ユニットが実施する圧縮機駆動制御処理（２）の内容を示すフローチャートである。
【図１１】制御ユニットが実施するバルブ切替制御処理の内容を示すフローチャートである。
【図１２】本発明の実施の形態２である冷却システムを模式的に示す模式図である。
【図１３】図１２に示した冷却システムの要部を模式的に示す模式図である。
【図１４】図１２に示した冷却システムの制御系を示すブロック図である。
【図１５】図１２に示した制御ユニットが実施する冷蔵用蒸発器の負荷判断処理の処理内容を示すフローチャートである。
【図１６】図１２に示した制御ユニットが実施する冷凍用蒸発器の負荷判断処理の処理内容を示すフローチャートである。
【図１７】図１２に示した制御ユニットが実施するブースターユニット制御処理（２）の処理内容を示すフローチャートである。
【図１８】図１２に示した制御ユニットが実施する圧縮機駆動制御処理（３）の処理内容を示すフローチャートである。
【図１９】図１２に示した制御ユニットが実施するバルブ切替制御処理の内容を示すフローチャートである。
【図２０】本発明の実施の形態３である冷却システムを模式的に示す模式図である。
【図２１】図２０に示した冷却システムの要部を模式的に示す模式図である。
【図２２】本発明の実施の形態４である冷却システムを模式的に示す模式図である。
【図２３】図２２に示した冷却システムの要部を模式的に示す模式図である。
【図２４】図２２に示した冷却システムの制御系を示すブロック図である。
【図２５】制御ユニットが実施する吹出方向制御処理の内容を示すフローチャートである。
【図２６】本発明の実施の形態５である冷却システムを模式的に示す模式図である。
【図２７】図２６に示した冷却システムの要部を模式的に示す模式図である。
【図２８】図２６に示した冷却システムの制御系を示すブロック図である。
【図２９】図２８に示した設定記憶部に記憶されるテーブルを示す図表である。
【図３０】図２８に示した設定記憶部に記憶されるテーブルを示す図表である。
【図３１】制御ユニットが実施する吹出空気制御処理の内容を示すフローチャートである。
【図３２】本発明の実施の形態５の変形例である冷却システムの要部を模式的に示す模式図である。
【図３３】本発明の実施の形態５の変形例である冷却システムの制御系を示すブロック図である。
【図３４】制御ユニットが実施する吹出空気制御処理の内容を示すフローチャートである。
【図３５】本発明の実施の形態５の他の変形例である冷却システムの要部を模式的に示す模式図である。
【図３６】本発明の実施の形態５の他の変形例である冷却システムの制御系を示すブロック図である。
【図３７】制御ユニットが実施する吹出空気制御処理の内容を示すフローチャートである。
【図３８】本発明の実施の形態６である冷却システムを模式的に示す模式図である。
【図３９】図３８に示した冷却システムの制御系を示すブロック図である。
【図４０】制御ユニットが実施する運転台数制御処理の内容を示すフローチャートである。
【図４１】制御ユニットが実施する複数台運転制御処理の内容を示すフローチャートである。
【図４２】制御ユニットが実施する単数台運転制御処理の内容を示すフローチャートである。
【図４３】本発明の実施の形態６の変形例である冷却システムの制御系を示すブロック図である。
【図４４】制御ユニットが実施する運転台数制御処理の内容を示すフローチャートである。
【図４５】制御ユニットが実施する複数台運転制御処理の内容を示すフローチャートである。
【図４６】制御ユニットが実施する単数台運転制御処理の内容を示すフローチャートである。
【発明を実施するための形態】
【００１１】
以下に添付図面を参照して、本発明に係る冷却システムの好適な実施の形態について詳細に説明する。
＜実施の形態１＞
図１は、本発明の実施の形態１である冷却システムを模式的に示す模式図である。ここに例示する冷却システムは、冷凍機１０、ショーケース冷却ユニット２０、空調ユニット３０及び制御ユニット４０を備えて構成してある。
【００１２】
冷凍機１０は、例えば室外に設置されるものであり、図２に示すように圧縮機１１と凝縮器１２とを備えて構成してある。圧縮機１１は、冷媒を圧縮して高温高圧の状態（高温高圧のガス冷媒）にするものである。この圧縮機１１は、詳細は後述するが、制御ユニット４０から与えられる指令に応じて駆動するものである。
【００１３】
凝縮器１２は、冷媒管路を通じて圧縮機１１から供給された冷媒、すなわち圧縮機１１で圧縮された高温高圧のガス冷媒を凝縮させて液冷媒にするものである。
【００１４】
ショーケース冷却ユニット２０は、例えば室内の所定個所に設置された複数（図示の例では６つ）のショーケース１〜６の収容庫１ａ〜６ａを所望の温度状態にするためのもので、冷蔵用蒸発器群２１と、冷凍用蒸発器群２２と、ブースターユニット２３と、ブースター導入経路（補助導入経路）２４と、ブースター導入バルブ（補助導入バルブ）２５と、帰還バルブ２６とを備えて構成してある。
【００１５】
冷蔵用蒸発器群２１は、冷凍用蒸発器群２２と並列となる態様で冷媒管路を通じて冷凍機１０の出口側に接続してある一方、下流側の合流点Ｐで互いの冷媒管路が合流して冷凍機１０の入口側に接続してある。この冷蔵用蒸発器群２１は、図２中の３つの冷蔵用ショーケース１〜３の収容庫１ａ〜３ａを所望の温度状態にするためのものであり、複数の冷蔵用蒸発器２１１を備えている。
【００１６】
冷蔵用蒸発器２１１は、それぞれ別個に冷蔵用ショーケース１〜３の内部に蓄冷槽２１２とともに配設してあり、供給された冷媒を蒸発させるものである。蓄冷槽２１２は、冷蔵用蒸発器２１１の出口側の冷媒管路上に設けてあり、冷蔵用蒸発器２１１からの冷熱、すなわち冷蔵用蒸発器２１１で冷媒が蒸発することにより周囲空気に生ずる冷熱を蓄積するものである。
【００１７】
また、冷蔵用蒸発器２１１は、それぞれ冷媒管路を通じて冷蔵用温度膨張弁２１３に接続してあり、これら冷蔵用温度膨張弁２１３とともに並列となる態様で冷媒管路を通じて凝縮器１２に接続してある。
【００１８】
冷蔵用温度膨張弁２１３は、凝縮器１２から吐出された液冷媒を断熱膨張して、下流側の冷蔵用蒸発器２１１に供給するためのものである。これにより、冷蔵用蒸発器２１１は、冷蔵用温度膨張弁２１３で断熱膨張した冷媒を蒸発させるものである。
【００１９】
本実施の形態１では、冷蔵用温度膨張弁２１３は、冷蔵用蒸発器２１１の出口側の冷媒温度と、冷蔵用蒸発器２１１の入口側の冷媒温度との差として定義される過熱度に基づき開度を変更し、通過する冷媒の流量を調節することのできる温度膨張弁を適用している。より具体的には、冷蔵用温度膨張弁２１３は、過熱度が大きい場合には開度が大きくなる一方、過熱度が小さい場合には開度が小さくなるものである。
【００２０】
また、これら冷蔵用温度膨張弁２１３のそれぞれの上流側の冷媒管路には、冷蔵用電磁弁２１４が配設してある。冷蔵用電磁弁２１４は、制御ユニット４０から指令が与えられることによりオン・オフ制御されて、すなわち開閉動作して凝縮器１２から対応する冷蔵用温度膨張弁２１３への冷媒の供給を遮断又は許容するものである。
【００２１】
各冷蔵用ショーケース１〜３の収容庫１ａ〜３ａの内部には、冷蔵庫内温度センサ２１５が設けてある。冷蔵庫内温度センサ２１５は、該収容庫１ａ〜３ａの内部温度を検出するものである。
【００２２】
冷凍用蒸発器群２２は、図２中の３つの冷凍用ショーケース４〜６の収容庫４ａ〜６ａを所望の温度状態にするためのものであり、複数の冷凍用蒸発器２２１を備えている。冷凍用蒸発器２２１は、それぞれ別個に冷凍用ショーケース４〜６の内部に蓄冷槽２２２とともに配設してあり、供給された冷媒を蒸発させるものである。
【００２３】
蓄冷槽２２２は、冷凍用蒸発器２２１の出口側の冷媒管路上に設けてあり、冷凍用蒸発器２２１からの冷熱、すなわち冷凍用蒸発器２２１で冷媒が蒸発することにより周囲空気に生ずる冷熱を蓄積するものである。
【００２４】
また、冷凍用蒸発器２２１は、それぞれ冷媒管路を通じて冷凍用温度膨張弁２２３に接続してあり、これら冷凍用温度膨張弁２２３とともに並列となる態様で冷媒管路を通じて凝縮器１２に接続してある。
【００２５】
冷凍用温度膨張弁２２３は、凝縮器１２から吐出された液冷媒を断熱膨張して、下流側の冷凍用蒸発器２２１に供給するためのものである。これにより、冷凍用蒸発器２２１は、冷凍用温度膨張弁２２３で断熱膨張した冷媒を蒸発させるものである。
【００２６】
本実施の形態１では、冷凍用温度膨張弁２２３は、冷凍用蒸発器２２１の出口側の冷媒温度と、冷凍用蒸発器２２１の入口側の冷媒温度との差として定義される過熱度に基づき開度を変更し、通過する冷媒の流量を調節することのできる温度膨張弁を適用している。より具体的には、冷凍用温度膨張弁２２３は、過熱度が大きい場合には開度が大きくなる一方、過熱度が小さい場合には開度が小さくなるものである。
【００２７】
また、これら冷凍用温度膨張弁２２３のそれぞれの上流側の冷媒管路には、冷凍用電磁弁２２４が配設してある。冷凍用電磁弁２２４は、制御ユニット４０から指令が与えられることによりオン・オフ制御されて、すなわち開閉動作して凝縮器１２から対応する冷凍用温度膨張弁２２３への冷媒の供給を遮断又は許容するものである。
【００２８】
各冷凍用ショーケース４〜６の収容庫４ａ〜６ａの内部には、冷凍庫内温度センサ２２５が設けてある。冷凍庫内温度センサ２２５は、該収容庫４ａ〜６ａの内部温度（冷凍庫内温度）を検出するものである。
【００２９】
ブースターユニット２３は、冷凍用蒸発器群２２の下流側であって、合流点Ｐよりも上流側に配設してある。より詳細に説明すると、ブースターユニット２３は、複数（図示の例では４つ）のブースター圧縮機（補助圧縮機）２３１及びブースター電磁弁２３２を備えて構成してあり、これらブースター圧縮機２３１が、ブースター電磁弁２３２とともに、並列となる態様で冷媒管路を通じて冷凍用蒸発器群２２に接続して配設してある。
【００３０】
ブースター圧縮機２３１は、それぞれ冷凍用蒸発器２２１で蒸発した冷媒を吸引して圧縮するものである。これにより、冷凍用蒸発器２２１の冷媒圧力が低下し、結果的に冷凍用蒸発器２２１での冷媒の蒸発温度を低下させることになる。
【００３１】
ブースター電磁弁２３２は、それぞれブースター圧縮機２３１の上流側に配設してある。これらブースター電磁弁２３２は、制御ユニット４０から指令が与えられることによりオン・オフ制御されて、すなわち開閉動作して冷凍用蒸発器２２１から対応するブースター圧縮機２３１への冷媒の供給を遮断又は許容するものである。
【００３２】
ブースター導入経路２４は、冷蔵用蒸発器群２１の下流側の冷媒管路から分岐して、冷凍用蒸発器群２２の下流側であってブースターユニット２３の上流側となる冷媒管路に合流する配管により構成される経路である。つまり、ブースター導入経路２４は、冷蔵用蒸発器群２１を通過した冷媒をブースターユニット２３に導入させるための経路である。
【００３３】
ブースター導入バルブ２５は、ブースター導入経路２４に配設してある。このブースター導入バルブ２５は、制御ユニット４０から与えられる指令に応じて開閉動作して、開成状態となる場合には、冷蔵用蒸発器群２１を通過した冷媒、すなわち冷蔵用蒸発器２１１で蒸発した冷媒がブースター導入経路２４を通過することを許容する一方、閉成状態となる場合には、冷蔵用蒸発器群２１を通過した冷媒、すなわち冷蔵用蒸発器２１１で蒸発した冷媒がブースター導入経路２４を通過することを規制するものである。
【００３４】
帰還バルブ２６は、ブースター導入経路２４との分岐個所から合流点Ｐに至る冷媒管路の所定個所に配設してある。この帰還バルブ２６は、制御ユニット４０から与えられる指令に応じて開閉動作して、開成状態となる場合には、冷蔵用蒸発器群２１を通過した冷媒、すなわち冷蔵用蒸発器２１１で蒸発した冷媒の通過を許容する一方、閉成状態となる場合には、冷蔵用蒸発器群２１を通過した冷媒、すなわち冷蔵用蒸発器２１１で蒸発した冷媒の通過を規制するものである。
【００３５】
空調ユニット３０は、ショーケース冷却ユニット２０の冷却対象となるショーケース１〜６が設置された室４の内部を所望の温度状態にするためのもので、図３に示すように、該室４の上方側外部となる上部ダクト５に配設してあり、空調膨張弁（膨張機構）３１と空調蒸発器３２とを備えて構成してある。
【００３６】
空調膨張弁３１は、供給された冷媒を断熱膨張させるものである。空調蒸発器３２は、空調膨張弁３１の下流側に配設してあり、空調膨張弁３１で断熱膨張した冷媒を蒸発させるものである。
【００３７】
これら空調膨張弁３１及び空調蒸発器３２は、冷凍機１０（圧縮機１１及び凝縮器１２）に対して冷媒管路で順次接続することにより冷媒循環回路を構成してある。この冷媒循環回路では、圧縮機１１から吐出された高温高圧のガス冷媒が凝縮器１２において冷却されて高温高圧の液冷媒となる。この高温高圧の液冷媒は、空調膨張弁３１により断熱膨張されて低温低圧の気液２相冷媒となり、空調蒸発器３２に供給される。空調蒸発器３２に供給された低温低圧の気液２相冷媒は、空調ファン３３によって吸込口３４から吸い込まれた室４の内部空気（以下、室内空気ともいう）と熱交換し、吸熱して低温低圧のガス冷媒となることにより該室内空気の冷却を行う。空調蒸発器３２から吐出された低温低圧のガス冷媒は、圧縮機１１に吸入され、再び高温高圧のガス冷媒となって凝縮器１２に供給されることになる。ところで、空調蒸発器３２に冷却された室内空気は、空調ファン３３によって吹出口３５から吹き出され、これにより室４の内部を所望の温度状態に冷却することができる。
【００３８】
このように空調ファン３３は、ショーケース１〜６が設置された室４の室内空気を吸込口３４及び吹出口３５を通じて該室４の内部と外部との間で循環させる室内空気循環手段を構成している。
【００３９】
上部ダクト５の吸込口３４の近傍には、吸込温度センサ３６が配設してある。吸込温度センサ３６は、空調ファン３３により吸込口３４を通じて吸い込まれて空調蒸発器３２に向けて通過する室内空気の温度を検出する吸込温度検出手段である。
【００４０】
制御ユニット４０は、冷却システムの動作を統括的に制御するものであり、図４に示すように、圧縮制御部（圧縮制御手段）４１とブースター制御部（補助圧縮制御手段）４２とを備えて構成してある。
【００４１】
圧縮制御部４１は、設定記憶部４１１と、通信処理部４１２と、冷蔵用電磁弁駆動処理部４１３と、運転率演算部４１４と、圧縮機駆動処理部４１５と、バルブ駆動処理部４１６と、温度比較部４１７とを備えて構成してある。
【００４２】
設定記憶部４１１は、圧縮制御部４１が制御を行うのに必要なプログラムやデータを設定し、かつ記憶するためのものであり、特に本実施の形態１では、目標冷蔵庫内温度の上限値及び下限値、基準吸込室内温度の上限値及び下限値を設定し、かつ記憶している。通信処理部４１２は、ブースター制御部４２との間で種々の情報の通信処理を行うためのものである。
【００４３】
冷蔵用電磁弁駆動処理部４１３は、各冷蔵用電磁弁２１４に対して指令を与えることにより、オン・オフ制御、すなわち開成又は閉成させるものである。
【００４４】
運転率演算部４１４は、一定時間毎にその前の一定時間に対する各冷蔵用電磁弁２１４のオン時間（開成時間）の割合である冷蔵用電磁弁運転率を演算するものである。
【００４５】
圧縮機駆動処理部４１５は、圧縮機１１に指令を与えて駆動、停止させたり、圧縮機１１の運転回転数を増減させたりするものである。
【００４６】
バルブ駆動処理部４１６は、ブースター導入バルブ２５及び帰還バルブ２６のそれぞれに指令を与えて、ブースター導入バルブ２５を開成させる場合には帰還バルブ２６を閉成させる一方、ブースター導入バルブ２５を閉成させる場合には、帰還バルブ２６を開成させるものである。尚、常態においては、バルブ駆動処理部４１６は、ブースター導入バルブ２５を閉成させて、帰還バルブ２６を開成させている。
【００４７】
温度比較部４１７は、各センサにて検出された温度と、設定記憶部４１１に記憶する温度の上限値又は下限値とを比較するものである。
【００４８】
ブースター制御部４２は、設定記憶部４２１と、通信処理部４２２と、冷凍用電磁弁駆動処理部４２３と、運転率演算部４２４と、ブースター電磁弁駆動処理部４２５と、ブースター圧縮機駆動処理部４２６とを備えて構成してある。
【００４９】
設定記憶部４２１は、ブースター制御部４２が制御を行うのに必要なプログラムやデータを設定し、かつ記憶するためのものであり、特に本実施の形態１では、目標冷凍庫内温度の上限値及び下限値を設定し、かつ記憶している。通信処理部４２２は、圧縮制御部４１との間で種々の情報の通信処理を行うためのものである。
【００５０】
冷凍用電磁弁駆動処理部４２３は、各冷凍用電磁弁２２４に対して指令を与えることにより、オン・オフ制御、すなわち開成又は閉成させるものである。
【００５１】
運転率演算部４２４は、一定時間毎にその前の一定時間に対する各冷凍用電磁弁２２４のオン時間（開成時間）の割合である冷凍用電磁弁運転率を演算するものである。
【００５２】
ブースター電磁弁駆動処理部４２５は、各ブースター電磁弁２３２に対して指令を与えることにより、オン・オフ制御、すなわち開成又は閉成させるものである。
【００５３】
ブースター圧縮機駆動処理部４２６は、各ブースター圧縮機２３１に指令を与えて駆動させたり、各ブースター圧縮機２３１の運転回転数を増減させたりするものである。
【００５４】
以上のような冷却システムにおいては、冷凍機１０を構成する圧縮機１１で圧縮されて吐出された高温高圧のガス冷媒が凝縮器１２において凝縮して高温高圧の液冷媒となる。この高温高圧の液冷媒は、途中で分岐して一方がショーケース冷却ユニット２０へ、他方が空調ユニット３０へ吐出されることになる。ショーケース冷却ユニット２０に吐出された液冷媒は、途中で分岐して一方が冷蔵用蒸発器群２１に、他方が冷凍用蒸発器群２２に吐出される。
【００５５】
冷蔵用蒸発器群２１に吐出された液冷媒は、冷蔵用電磁弁２１４を介して冷蔵用温度膨張弁２１３に分岐供給され、断熱膨張されて低温低圧の気液２相冷媒となって冷蔵用蒸発器２１１に供給される。
【００５６】
冷蔵用蒸発器２１１に供給された低温低圧の気液２相冷媒は、送風ファン（庫内空気循環手段）２１６によって吸込口２１７を通じて供給された冷蔵用ショーケース１〜３の収容庫１ａ〜３ａの庫内空気と熱交換し、蒸発して低温低圧のガス冷媒となることにより冷却された庫内空気は、吹出口２１８から収容庫１ａ〜３ａに吹き出され、これにより収容庫１ａ〜３ａの冷却が行われる。
【００５７】
冷蔵用蒸発器２１１を経た低温低圧のガス冷媒は、圧縮機１１に吸引されることにより、その後に合流し、冷蔵用蒸発器群２１から吐出されて開成状態となっている帰還バルブ２６を通過して合流点Ｐに至る。
【００５８】
冷凍用蒸発器群２２に吐出された液冷媒は、冷凍用電磁弁２２４を介して冷凍用温度膨張弁２２３に分岐供給され、断熱膨張されて低温低圧の気液２相冷媒となって、冷凍用蒸発器２２１に供給される。
【００５９】
冷凍用蒸発器２２１に供給された低温低圧の気液２相冷媒は、送風ファン（庫内空気循環手段）２２６によって吸込口２２７を通じて供給された冷凍用ショーケース４〜６の収容庫４ａ〜６ａの庫内空気と熱交換し、蒸発して低温低圧のガス冷媒となることにより庫内空気を冷却する。冷却された庫内空気は、吹出口２２８から収容庫４ａ〜６ａに吹き出され、これにより収容庫４ａ〜６ａの冷却が行われる。
【００６０】
ここで、冷凍用蒸発器２２１での冷媒は、圧縮機１１による吸引力だけでなく、ブースターユニット２３を構成するブースター圧縮機２３１による吸引力も作用するために、圧力が冷蔵用蒸発器２１１での冷媒圧力よりも低くなっている。そのため、冷凍用蒸発器２２１での冷媒の蒸発温度は、冷蔵用蒸発器２１１での冷媒の蒸発温度よりも低く、これにより冷凍用ショーケース４〜６の収容庫４ａ〜６ａは、冷蔵用ショーケース１〜３の収容庫１ａ〜３ａよりも低くなる。
【００６１】
冷凍用蒸発器２２１を経た低温低圧のガス冷媒は、ブースター圧縮機２３１及び圧縮機１１に吸引されることにより、その後に合流し、冷凍用蒸発器群２２から吐出されてブースターユニット２３に吐出される。
【００６２】
ブースターユニット２３に吐出された冷媒は、ブースター電磁弁２３２を介してブースター圧縮機２３１に分岐供給され、ブースター圧縮機２３１で圧縮され、圧縮機１１の吸引力が作用して、合流した後にブースターユニット２３から吐出されて合流点Ｐに至る。
【００６３】
かかる合流点Ｐにて冷蔵用蒸発器群２１から吐出された冷媒と、冷凍用蒸発器群２２を通過してブースターユニット２３から吐出された冷媒とが合流し、圧縮機１１に吸入される。
【００６４】
空調ユニット３０に吐出された液冷媒は、空調膨張弁３１に供給され、断熱膨張されて低温低圧の気液２相冷媒となって空調蒸発器３２に供給される。空調蒸発器３２に供給された低温低圧の気液２相冷媒は、空調ファン３３によって供給された室内空気と熱交換し、蒸発して低温低圧のガス冷媒となることにより室４の冷却を行う。空調蒸発器３２を経た低温低圧のガス冷媒は、圧縮機１１に吸入される。
【００６５】
そして、このような冷却システムを構成する制御ユニット４０は、以下に示すような各制御処理を行う。
【００６６】
図５、図６、図８〜１１は、それぞれ制御ユニット４０が個別に実施する処理の内容を示すフローチャートであり、図５は冷凍電磁弁制御処理、図６はブースターユニット制御処理（１）、図８は冷凍電磁弁制御処理、図９は圧縮機駆動制御処理（１）、図１０は圧縮機駆動制御処理（２）、図１１はバルブ切替制御処理である。以下、これらの図を参照しながら、冷却システムの動作について説明する。
【００６７】
図５に示す冷凍電磁弁制御処理においてブースター制御部４２（制御ユニット４０）は、冷凍庫内温度センサ２２５を通じてそれぞれの冷凍用ショーケース４〜６における収容庫４ａ〜６ａの冷凍庫内温度を検出し（ステップＳ１０１）、検出した冷凍庫内温度が設定記憶部４２１に記憶された目標冷凍庫内温度の上限値を超えているか否かを判断する（ステップＳ１０２）。
【００６８】
いずれかの冷凍用ショーケース４〜６において検出した冷凍庫内温度が目標冷凍庫内温度上限値を超えている場合（ステップＳ１０２：Ｙｅｓ）、ブースター制御部４２は、冷凍用電磁弁駆動処理部４２３を通じて該当する冷凍用ショーケース４〜６の冷凍用電磁弁２２４をオン制御して（開動作させて）、冷凍用温度膨張弁２２３（冷凍用蒸発器２２１）に対して冷媒の供給を許容し（ステップＳ１０３）、その後に手順をリターンして今回の処理を終了する。
【００６９】
この結果、該当する冷凍用ショーケース４〜６の収容庫４ａ〜６ａが冷却され、該収容庫４ａ〜６ａの冷凍庫内温度が目標冷凍庫内温度以下となるように推移することになる。
【００７０】
ステップＳ１０２において、いずれの冷凍用ショーケース４〜６においても収容庫４ａ〜６ａの冷凍庫内温度が目標冷凍庫内温度以下であった場合（ステップＳ１０２：Ｎｏ）、ブースター制御部４２は、次いでいずれかの冷凍用ショーケース４〜６において検出した冷凍庫内温度が設定記憶部４２１に記憶された目標冷凍庫内温度の下限値を下回っているか否かを判断する（ステップＳ１０４）。
【００７１】
いずれかの冷凍用ショーケース４〜６において検出した冷凍庫内温度が目標冷凍庫内温度下限値を下回っている場合（ステップＳ１０４：Ｙｅｓ）、ブースター制御部４２は、冷凍用電磁弁駆動処理部４２３を通じて該当する冷凍用ショーケース４〜６の冷凍用電磁弁２２４をオフ制御して（閉動作させて）、冷凍用温度膨張弁２２３（冷凍用蒸発器２２１）に対する冷媒の供給を停止させ（ステップＳ１０５）、その後に手順をリターンして今回の処理を終了する。
【００７２】
この結果、該当する冷凍用ショーケース４〜６において収容庫４ａ〜６ａの庫内空気と冷凍用蒸発器２２１との間の熱交換が抑制され、その冷凍庫内温度が目標冷凍庫内温度以上となるように推移することになる。
【００７３】
ステップＳ１０４においていずれの冷凍用ショーケース４〜６において検出した冷凍庫内温度が目標冷凍庫内温度下限値以上であった場合（ステップＳ１０４：Ｎｏ）、つまり全ての冷凍庫内温度（全ての収容庫４ａ〜６ａの庫内温度）が目標冷凍庫内温度上限値以下、かつ目標冷凍庫内温度下限値以上（以下、「目標冷凍庫内温度範囲」という）である場合、ブースター制御部４２は、冷凍用電磁弁２２４の状態を維持して、手順をリターンして今回の処理を終了する。
【００７４】
以下、所定のサイクルタイムで冷凍電磁弁制御処理を繰り返し実施することにより、全ての冷凍用ショーケース４〜６において収容庫４ａ〜６ａの冷凍庫内温度が目標冷凍庫内温度範囲に維持されることになる。
【００７５】
図６に示すブースターユニット制御処理（１）においてブースター制御部４２は、運転率演算部４２４を通じて各冷凍用電磁弁２２４の運転率を演算する（ステップＳ１１１）。かかる演算の結果、図７に示すような冷凍能力判断条件（イ）に適合する場合（ステップＳ１１２：Ｙｅｓ）、すなわち少なくとも１台の電磁弁の運転率が９０％（基準運転率上限値）を超える場合、ブースター制御部４２は、冷凍能力が不足しているものとして、ブースター圧縮機駆動処理部４２６を通じてブースター圧縮機２３１の運転台数を増大させることができるか否かを判断する（ステップＳ１１３）。
【００７６】
その結果、運転台数の増大が可能な場合（ステップＳ１１３：Ｙｅｓ）、ブースター制御部４２は、ブースター電磁弁駆動処理部４２５を通じて該当するブースター電磁弁２３２をオン制御し（開動作させ）、ブースター圧縮機駆動処理部４２６を通じて該当するブースター圧縮機２３１を駆動させ（ステップＳ１１４，ステップＳ１１５）、その後に手順をリターンして今回の処理を終了する。この結果、ブースターユニット２３による冷媒の吸引力が増大し、これにより冷凍用蒸発器群２２を構成する冷凍用蒸発器２２１の冷媒圧力が低下して、冷凍用蒸発器２２１での冷媒の蒸発温度を低下させることが可能になる。
【００７７】
このように冷媒の蒸発温度を低下させると、冷凍用ショーケース４〜６の収容庫４ａ〜６ａが冷却される結果、上述した冷凍電磁弁制御処理で述べたように、冷凍庫内温度を目標冷凍庫内温度範囲に推移させることが可能になる。
【００７８】
ステップＳ１１３において、ブースター圧縮機２３１の運転台数を増大させることができない場合（ステップＳ１１３：Ｎｏ）、ブースター制御部４２は、ブースター圧縮機駆動処理部４２６を通じて該当するブースター圧縮機２３１の運転回転数を増大させ（ステップＳ１１６）、その後に手順をリターンして今回の処理を終了する。
【００７９】
この結果、運転回転数を増大させたブースター圧縮機２３１の低圧圧力設定値を低下させることになり、冷凍用蒸発器群２２を構成する冷凍用蒸発器２２１の冷媒圧力が低下して、冷凍用蒸発器２２１での冷媒の蒸発温度を低下させることが可能になる。
【００８０】
このように冷媒の蒸発温度を低下させると、冷凍用ショーケース４〜６の収容庫４ａ〜６ａが冷却される結果、上述した冷凍電磁弁制御処理で述べたように、冷凍庫内温度を目標冷凍庫内温度範囲に推移させることが可能になる。
【００８１】
ステップＳ１１１において演算した冷凍用電磁弁２２４の運転率が冷凍能力判断条件（ロ）に適合する場合（ステップＳ１１２：Ｎｏ，ステップＳ１１７：Ｙｅｓ）、すなわち全ての電磁弁の運転率が４０〜９０％となる場合、ブースター制御部４２は、冷凍能力が適当であるとして、ブースター電磁弁２３２及びブースター圧縮機２３１の状態を維持して（ステップＳ１１８）、その後に手順をリターンして今回の処理を終了する。
【００８２】
一方、ステップＳ１１１において演算した冷凍用電磁弁２２４の運転率が冷凍能力判断条件（ロ）に適合しない場合（ステップＳ１１２：Ｎｏ，ステップＳ１１７：Ｎｏ）、すなわち演算した電磁弁の運転率が冷凍能力判断条件（ハ）に適合する場合、つまり、全ての電磁弁の運転率が９０％以下で、かつ少なくとも１台の電磁弁の運転率が４０％（基準運転率下限値）を下回る場合、ブースター制御部４２は、冷凍能力が過剰であるとして、ブースター圧縮機駆動処理部４２６を通じてブースター圧縮機２３１の運転台数を低減させることができるか否かを判断する（ステップＳ１１９）。
【００８３】
その結果、運転台数の低減が可能な場合（ステップＳ１１９：Ｙｅｓ）、ブースター制御部４２は、ブースター電磁弁駆動処理部４２５を通じて該当するブースター電磁弁２３２をオフ制御し（ステップＳ１２０）、その後に手順をリターンして今回の処理を終了する。
【００８４】
この結果、オフ制御したブースター電磁弁２３２の下流側にあるブースター圧縮機２３１には冷媒が流れなくなり、これによりブースター圧縮機２３１は自動的に停止する。
【００８５】
このようにブースター圧縮機２３１の運転台数を低減させることによりブースターユニット２３による冷媒の吸引力が低減し、これにより冷凍用蒸発器群２２を構成する冷凍用蒸発器２２１の冷媒圧力が増大して、冷凍用蒸発器２２１での冷媒の蒸発温度を上昇させることが可能になる。
【００８６】
このように冷媒の蒸発温度を上昇させると、冷凍用ショーケース４〜６の収容庫４ａ〜６ａの冷却が緩和される結果、上述した冷凍電磁弁制御処理で述べたように、冷凍庫内温度を目標冷凍庫内温度範囲に推移させることが可能になる。
【００８７】
ステップＳ１１９において、ブースター圧縮機２３１の運転台数を低減させることができない場合（ステップＳ１１９：Ｎｏ）、ブースター制御部４２は、ブースター圧縮機駆動処理部４２６を通じて該当するブースター圧縮機２３１の運転回転数を低減させ（ステップＳ１２１）、その後に手順をリターンして今回の処理を終了する。
【００８８】
この結果、運転回転数を低減させたブースター圧縮機２３１の低圧圧力設定値を増大させることになり、冷凍用蒸発器群２２を構成する冷凍用蒸発器２２１の冷媒圧力が増大して、冷凍用蒸発器２２１での冷媒の蒸発温度を上昇させることが可能になる。
【００８９】
このように冷媒の蒸発温度を上昇させると、冷凍用ショーケース４〜６の収容庫４ａ〜６ａの冷却が緩和される結果、上述した冷凍電磁弁制御処理で述べたように、冷凍庫内温度を目標冷凍庫内温度範囲に推移させることが可能になる。
【００９０】
図８に示す冷蔵電磁弁制御処理において圧縮制御部４１（制御ユニット４０）は、冷蔵庫内温度センサ２１５を通じてそれぞれの冷蔵用ショーケース１〜３における収容庫１ａ〜３ａの冷蔵庫内温度を検出し（ステップＳ１３１）、検出した冷蔵庫内温度が設定記憶部４１１に記憶された目標冷蔵庫内温度の上限値を超えているか否かを判断する（ステップＳ１３２）。
【００９１】
いずれかの冷蔵用ショーケース１〜３において検出された冷蔵庫内温度が目標冷蔵庫内温度上限値を超えている場合（ステップＳ１３２：Ｙｅｓ）、圧縮制御部４１は、冷蔵用電磁弁駆動処理部４１３を通じて該当する冷蔵用ショーケース１〜３の冷蔵用電磁弁２１４をオン制御して（開動作させて）、冷蔵用温度膨張弁２１３（冷蔵用蒸発器２１１）に対して冷媒の供給を許容し（ステップＳ１３３）、その後に手順をリターンして今回の処理を終了する。
【００９２】
この結果、該当する冷蔵用ショーケース１〜３の収容庫１ａ〜３ａが冷却され、冷蔵庫内温度が目標冷蔵庫内温度以下となるように推移することになる。
【００９３】
ステップＳ１３２において、いずれの冷蔵用ショーケース１〜３においても検出された冷蔵庫内温度が目標冷蔵庫内温度以下であった場合（ステップＳ１３２：Ｎｏ）、圧縮制御部４１は、次いでいずれかの冷蔵用ショーケース１〜３において検出された冷蔵庫内温度が設定記憶部４１１に記憶された目標冷蔵庫内温度の下限値を下回っているか否かを判断する（ステップＳ１３４）。
【００９４】
いずれかの冷蔵用ショーケース１〜３において検出された冷蔵庫内温度が目標冷蔵庫内温度下限値を下回っている場合（ステップＳ１３４：Ｙｅｓ）、圧縮制御部４１は、冷蔵用電磁弁駆動処理部４１３を通じて該当する冷蔵用ショーケース１〜３の冷蔵用電磁弁２１４をオフ制御して（閉動作させて）、冷蔵用温度膨張弁２１３（冷蔵用蒸発器２１１）に対する冷媒の供給を停止させ（ステップＳ１３５）、その後に手順をリターンして今回の処理を終了する。
【００９５】
この結果、該当する冷蔵用ショーケース１〜３において収容庫１ａ〜３ａの庫内空気と冷蔵用蒸発器２１１との間の熱交換が抑制され、その冷蔵庫内温度が目標冷蔵庫内温度以上となるように推移することになる。
【００９６】
ステップＳ１３４においていずれの冷蔵用ショーケース１〜３においても検出された冷蔵庫内温度が目標冷蔵庫内温度下限値以上であった場合（ステップＳ１３４：Ｎｏ）、つまり収容庫１ａ〜３ａの内部温度（冷蔵庫内温度）が目標冷蔵庫内温度上限値以下、かつ目標冷蔵庫内温度下限値以上（以下、「目標冷蔵庫内温度範囲」という）である場合、圧縮制御部４１は、冷蔵用電磁弁２１４の状態を維持して、手順をリターンして今回の処理を終了する。
【００９７】
以下、所定のサイクルタイムで冷蔵電磁弁制御処理を繰り返し実施することにより、全ての冷蔵用ショーケース１〜３において収容庫１ａ〜３ａの冷蔵庫内温度が目標冷蔵庫内温度範囲に維持されることになる。
【００９８】
図９に示す圧縮機駆動制御処理（１）において圧縮制御部４１（制御ユニット４０）は、通信処理部４１２を通じてブースター制御部４２から冷凍用電磁弁運転率を入力した場合（ステップＳ１４１：Ｙｅｓ）、運転率演算部４１４を通じて各冷蔵用電磁弁２１４の運転率を演算する（ステップＳ１４２）。
【００９９】
かかる演算の結果、図７に示すような冷凍能力判断条件（イ）に適合する場合（ステップＳ１４３：Ｙｅｓ）、すなわち少なくとも１台の電磁弁の運転率が９０％を超える場合、圧縮制御部４１は、冷凍能力が不足しているものとして、圧縮機駆動処理部４１５を通じて圧縮機１１の運転回転数を増大させ（ステップＳ１４４）、その後に手順をリターンして今回の処理を終了する。
【０１００】
この結果、圧縮機１１の低圧圧力設定値を低下させることになり、各蒸発器の冷媒圧力が低下して、これら蒸発器での冷媒の蒸発温度を低下させることが可能になる。
【０１０１】
このように冷媒の蒸発温度を低下させると、各ショーケース１〜６の収容庫１ａ〜３ａが冷却される結果、該収容庫１ａ〜３ａの庫内温度を所望の温度範囲に推移させることが可能になる。
【０１０２】
ステップＳ１４１で入力した冷凍用電磁弁２２４の運転率、並びにステップＳ１４２において演算した冷蔵用電磁弁２１４の運転率が冷凍能力判断条件（ロ）に適合する場合（ステップＳ１４３：Ｎｏ，ステップＳ１４５：Ｙｅｓ）、すなわち全ての電磁弁の運転率が４０〜９０％となる場合、圧縮制御部４１は、冷凍能力が適当であるとして、圧縮機１１の状態を維持して（ステップＳ１４６）、その後に手順をリターンして今回の処理を終了する。
【０１０３】
一方、ステップＳ１４１で入力した冷凍用電磁弁２２４の運転率、並びにステップＳ１４２において演算した冷蔵用電磁弁２１４の運転率が冷凍能力判断条件（ロ）に適合しない場合（ステップＳ１４３：Ｎｏ，ステップＳ１４５：Ｎｏ）、すなわち冷凍用電磁弁２２４の運転率及び冷蔵用電磁弁２１４の運転率が図７に示す冷凍能力判断条件（ハ）に適合する場合、つまり、全ての電磁弁の運転率が９０％以下で、かつ少なくとも１台の電磁弁の運転率が４０％未満となる場合、圧縮制御部４１は、冷凍能力が過剰であるとして、圧縮機駆動処理部４１５を通じて圧縮機１１の運転回転数を低減させ（ステップＳ１４７）、その後に手順をリターンして今回の処理を終了する。
【０１０４】
この結果、圧縮機１１の低圧圧力設定値を増大させることになり、各蒸発器の冷媒圧力が増大して、各蒸発器での冷媒の蒸発温度を上昇させることが可能になる。
【０１０５】
このように冷媒の蒸発温度を上昇させると、各ショーケース１〜６の収容庫１ａ〜３ａの冷却が緩和される結果、収容庫１ａ〜３ａの庫内温度を所望の温度範囲に推移させることが可能になる。
【０１０６】
図１０に示す圧縮機駆動制御処理（２）において圧縮制御部４１（制御ユニット４０）は、吸込温度センサ３６を通じて吸込口３４を通過する室内空気の温度（以下、吸込室内温度ともいう）を検出し（ステップＳ１５１）、検出した吸込室内温度が設定記憶部４１１に記憶された基準吸込室内温度の上限値を超えているか否かを判断する（ステップＳ１５２）。
【０１０７】
吸込室内温度が基準吸込室内温度上限値を超えている場合（ステップＳ１５２：Ｙｅｓ）、圧縮制御部４１は、圧縮機駆動処理部４１５を通じて圧縮機１１の運転回転数を増大させ（ステップＳ１５３）、その後に手順をリターンして今回の処理を終了する。
【０１０８】
この結果、圧縮機１１の低圧圧力設定値を低下させることになり、各蒸発器の冷媒圧力が低下して、これら蒸発器での冷媒の蒸発温度を低下させることが可能になる。
【０１０９】
このように冷媒の蒸発温度を低下させると、室４が冷却される結果、室４の内部温度（室内温度）を所望の温度範囲に推移させることが可能になる。
【０１１０】
ステップＳ１５２において、検出した吸込室内温度が基準吸込室内温度以下であった場合（ステップＳ１５２：Ｎｏ）、圧縮制御部４１は、次いで吸込室内温度が設定記憶部４１１に記憶された基準吸込室内温度の下限値を下回っているか否かを判断する（ステップＳ１５４）。
【０１１１】
検出した吸込室内温度が基準吸込室内温度下限値を下回っている場合（ステップＳ１５４：Ｙｅｓ）、圧縮制御部４１は、圧縮機駆動処理部４１５を通じて圧縮機１１の運転回転数を低減させ（ステップＳ１５５）、その後に手順をリターンして今回の処理を終了する。
【０１１２】
この結果、圧縮機１１の低圧圧力設定値を増大させることになり、各蒸発器の冷媒圧力が増大して、各蒸発器での冷媒の蒸発温度を上昇させることが可能になる。
【０１１３】
このように冷媒の蒸発温度を上昇させると、室４の冷却が緩和される結果、室内温度を所望の温度範囲に推移させることが可能になる。
【０１１４】
ステップＳ１５４において検出した吸込室内温度が基準吸込室内温度下限値以上であった場合（ステップＳ１５４：Ｎｏ）、つまり吸込室内温度が基準吸込室内温度上限値以下、かつ基準吸込室内温度下限値以上（以下、「基準吸込室内温度範囲」という）である場合、圧縮制御部４１は、圧縮機１１の運転状態を維持して、手順をリターンして今回の処理を終了する。
【０１１５】
以下、所定のサイクルタイムで圧縮機駆動制御処理（２）を繰り返し実施することにより、室内温度が基準吸込室内温度範囲に維持されることになる。
【０１１６】
このような圧縮機駆動制御処理（２）は、上述した圧縮機駆動制御処理（１）と並行して行われるが、冷蔵用ショーケース１〜３及び冷凍用ショーケース４〜６の各収容庫１ａ〜６ａには商品が陳列されていることから、本実施の形態１における冷却システムは、圧縮機駆動制御処理（１）の方が圧縮機駆動制御処理（２）よりも優先されるようにしてある。
【０１１７】
そして、圧縮機駆動制御処理（１）及び圧縮機駆動制御処理（２）のいずれかにおいて圧縮機１１の運転回転数が最大値となった場合には、制御ユニット４０は、次のようなバルブ切替制御処理を実施する。尚、かかるバルブ切替制御処理の前提として、ブースター導入バルブ２５が閉成し、帰還バルブ２６が開成しているものとする。
【０１１８】
図１１に示すバルブ切替制御処理において圧縮制御部４１（制御ユニット４０）は、圧縮機駆動処理部４１５を通じて圧縮機１１の運転回転数が最大値であるか否かを判断し（ステップＳ１６１）、運転回転数が最大値である場合（ステップＳ１６１：Ｙｅｓ）、圧縮制御部４１は、冷蔵庫内温度センサ２１５を通じてそれぞれの冷蔵用ショーケース１〜３における収容庫１ａ〜３ａの冷蔵庫内温度を検出し（ステップＳ１６２）、温度比較部４１７を通じて検出した冷蔵庫内温度が設定記憶部４１１に記憶された目標冷蔵庫内温度の上限値を超えているか否かを判断する（ステップＳ１６３）。
【０１１９】
いずれかの冷蔵用ショーケース１〜３において冷蔵庫内温度（収容庫１ａ〜３ａの内部温度）が目標冷蔵庫内温度上限値を超えている場合（ステップＳ１６３：Ｙｅｓ）、圧縮制御部４１は、バルブ駆動処理部４１６を通じてブースター導入バルブ２５をオン制御し（開動作させ）（ステップＳ１６４）、帰還バルブ２６をオフ制御する（閉動作させる）（ステップＳ１６５）。
【０１２０】
この結果、冷蔵用蒸発器群２１を通過した冷媒、すなわち冷蔵用蒸発器２１１で蒸発した冷媒は、ブースター導入経路２４を通過して、ブースターユニット２３に吐出される。つまり、冷蔵用蒸発器２１１の冷媒圧力が、ブースター圧縮機２３１に吸引されることにより低下して、冷蔵用蒸発器２１１での冷媒の蒸発温度を低下させることが可能になる。
【０１２１】
このように冷媒の蒸発温度を低下させると、冷蔵用ショーケース１〜３の収容庫１ａ〜３ａが更に冷却される結果、冷蔵庫内温度を所望の温度範囲に推移させることが可能になる。
【０１２２】
いずれかの冷蔵用ショーケース１〜３において冷蔵庫内温度が目標冷蔵庫内温度上限値以下の場合（ステップＳ１６３：Ｎｏ）、圧縮制御部４１は、ブースター導入バルブ２５及び帰還バルブ２６の状態を維持して、その後に手順をリターンして今回の処理を終了する。
【０１２３】
以上説明したような本発明の実施の形態１の冷却システムによれば、ブースター制御部４２（制御ユニット４０）が、各冷凍用電磁弁２２４の運転率のうち予め設定された基準運転率上限値（９０％）を超えるものが１つ以上ある場合には、ブースター圧縮機２３１の運転台数及び運転回転数の少なくとも１つを増大させる一方、各冷凍用電磁弁２２４の運転率のうち予め設定された基準運転率下限値（４０％）を下回るものが１つ以上ある場合には、ブースター圧縮機２３１の運転台数及び運転回転数の少なくとも１つを低減させるので、全てのブースター圧縮機２３１を常時運転させる必要はない。しかも、冷凍用蒸発器２２１とブースター圧縮機２３１とが複数対複数の関係になっていることから、ブースター圧縮機２３１の運転回転数だけでなく、運転台数を増減させることにより、各冷凍用蒸発器２２１の冷媒の蒸発温度を制御することができ、各冷凍用蒸発器２２１での冷却をきめ細かく調整することができる。従って、十分に高い運転効率を得ながら、収容庫１ａ〜３ａを良好に所望の温度状態にすることができる。
【０１２４】
上記冷却システムによれば、圧縮制御部４１が、ブースター制御部４２によるブースターユニット制御処理（１）と並行して、各電磁弁の運転率から各蒸発器の負荷を判断して圧縮機１１の運転回数を増減させるので（圧縮機駆動制御処理（１））、運転効率を向上させることができ、これによりシステム全体の運転の省エネルギー化を図ることができる。
【０１２５】
また、本実施の形態１の冷却システムによれば、圧縮制御部４１が、圧縮機駆動制御処理（１）及びブースター制御部４２によるブースターユニット制御処理（１）と並行して、吸込温度センサ３６により検出された吸込室内温度と基準吸込室内温度との偏差から空調蒸発器３２の負荷を判断して圧縮機１１の運転回転数を増減させるので、運転効率を向上させることができ、これによりシステム全体の運転の省エネルギー化を図ることができる。
【０１２６】
更に、本実施の形態１の冷却システムによれば、圧縮制御部４１が、圧縮機１１の運転回転数が最大値であって冷蔵庫内温度センサ２１５により検出された冷蔵庫内温度が目標冷蔵庫内温度上限値を超えている場合に、ブースター導入バルブ２５をオン制御し、かつ帰還バルブ２６をオフ制御するので、冷蔵蒸発器群と冷凍蒸発器群との間でブースター圧縮機２３１を共有して利用することが可能になり、しかも冷蔵用蒸発器２１１での冷媒の蒸発温度を低下させて冷蔵用ショーケース１〜３の収容庫１ａ〜３ａを良好に冷却することができる。
【０１２７】
また更に、本実施の形態１の冷却システムによれば、蓄冷槽２１２，２２２が冷熱を蓄積しているので、必要に応じてかかる蓄冷槽２１２，２２２が蓄積した冷熱を利用して送風ファン２１６，２２６により送風された庫内空気を冷却することができるので、圧縮機１１及びブースター圧縮機２３１の運転負荷を平準化させて省エネルギー化を図ることができる。
【０１２８】
以上、本発明の実施の形態１について説明したが、本発明はこれに限定されるものではなく、種々の変更を行うことができる。例えば、上述の実施の形態１では、空調蒸発器３２の負荷を判断する際に吸込温度センサ３６により検出される吸込室内温度を用いたが、本発明では、空調蒸発器３２の負荷を判断することができるものであれば吸込室内温度に限る必要はなく、吹出口から吹き出される室内空気の温度（吹出室内空気温度）を用いても構わないし、吸込室内温度から吹出室内温度を減じた値を用いても構わない。
【０１２９】
また、上述した実施の形態１においては、ブースターユニット制御処理（１）において、ブースター圧縮機２３１の運転台数の制御を中心に実施し、運転台数の増減が不可能な場合にブースター圧縮機２３１の運転回転数を増減させるような制御を実施していたが、本発明では、必ずしもブースター圧縮機２３１の運転台数の制御を中心に実施する必要はなく、運転回転数の制御を中心に行っても構わない。
＜実施の形態２＞
図１２は、本発明の実施の形態２である冷却システムを模式的に示す模式図である。尚、上述した実施の形態１の冷却システムと同一の構成を有するものには同一の符号を付して、その説明を適宜省略する。ここに例示する冷却システムは、冷凍機１０、ショーケース冷却ユニット２００、空調ユニット３０及び制御ユニット４００を備えて構成してある。
【０１３０】
ショーケース冷却ユニット２００は、例えば室内の所定個所に設置された複数（図示の例では６つ）のショーケース１〜６の収容庫１ａ〜６ａを所望の温度状態にするためのもので、冷蔵用蒸発器群２１０と、冷凍用蒸発器群２２０と、ブースターユニット２３と、ブースター導入経路２４と、ブースター導入バルブ２５と、帰還バルブ２６とを備えて構成してある。
【０１３１】
冷蔵用蒸発器群２１０は、冷凍用蒸発器群２２０と並列となる態様で冷媒管路を通じて冷凍機１０の出口側に接続してある一方、下流側の合流点Ｐで互いの冷媒管路が合流して冷凍機１０の入口側に接続してある。この冷蔵用蒸発器群２１０は、図１３中の３つの冷蔵用ショーケース１〜３の収容庫１ａ〜３ａを所望の温度状態にするためのものであり、複数の冷蔵用蒸発器２１１を備えている。
【０１３２】
冷蔵用蒸発器２１１は、それぞれ別個に冷蔵用ショーケース１〜３の内部に蓄冷槽２１２とともに配設してあり、供給された冷媒を蒸発させるものである。蓄冷槽２１２は、冷蔵用蒸発器２１１の出口側の冷媒管路上に設けてあり、冷蔵用蒸発器２１１からの冷熱、すなわち冷蔵用蒸発器２１１で冷媒が蒸発することにより周囲空気に生ずる冷熱を蓄積するものである。
【０１３３】
また、冷蔵用蒸発器２１１は、それぞれ冷媒管路を通じて冷蔵用電子膨張弁２１３ａに接続してあり、これら冷蔵用電子膨張弁２１３ａとともに並列となる態様で冷媒管路を通じて凝縮器１２に接続してある。
【０１３４】
冷蔵用電子膨張弁２１３ａは、凝縮器１２から吐出された液冷媒を断熱膨張して、下流側の冷蔵用蒸発器２１１に供給するためのものである。これにより、冷蔵用蒸発器２１１は、冷蔵用電子膨張弁２１３ａで断熱膨張した冷媒を蒸発させるものである。
【０１３５】
本実施の形態２では、冷蔵用電子膨張弁２１３ａは、図示せぬ電子膨張弁コントローラから開度指令が与えられた場合に開度指令に応じて開度を変更し、通過する冷媒の流量を調節することのできる電子膨張弁を適用している。また、これら冷蔵用電子膨張弁２１３ａのそれぞれの上流側の冷媒管路には、冷蔵用電磁弁２１４が配設してある。
【０１３６】
これら冷蔵用蒸発器群２１０において、各冷蔵用ショーケース１〜３の収容庫１ａ〜３ａの内部には、冷蔵庫内温度センサ２１５が設けてある一方、冷蔵用蒸発器２１１に接続した冷媒管路の入口部、出口部及び中間部には、それぞれ冷媒温度センサ２１９ａ，２１９ｂ，２１９ｃが設けてある。入口部冷媒温度センサ２１９ａ及び出口部冷媒温度センサ２１９ｂは、それぞれの冷媒管路を通過する冷媒の温度を検出するものである。中間部冷媒温度センサ２１９ｃは、冷蔵用蒸発器２１１の内部において出口部に近接した部位を通過する冷媒の温度を検出するものである。
【０１３７】
冷凍用蒸発器群２２０は、図１３中の３つの冷凍用ショーケース４〜６の収容庫４ａ〜６ａを所望の温度状態にするためのものであり、複数の冷凍用蒸発器２２１を備えている。冷凍用蒸発器２２１は、それぞれ別個に冷凍用ショーケース４〜６の内部に蓄冷槽２２２とともに配設してあり、供給された冷媒を蒸発させるものである。
【０１３８】
蓄冷槽２２２は、冷凍用蒸発器２２１の出口側の冷媒管路上に設けてあり、冷凍用蒸発器２２１からの冷熱、すなわち冷凍用蒸発器２２１で冷媒が蒸発することにより周囲空気に生ずる冷熱を蓄積するものである。
【０１３９】
また、冷凍用蒸発器２２１は、それぞれ冷媒管路を通じて冷凍用電子膨張弁２２３ａに接続してあり、これら冷凍用電子膨張弁２２３ａとともに並列となる態様で冷媒管路を通じて凝縮器１２に接続してある。
【０１４０】
冷凍用電子膨張弁２２３ａは、凝縮器１２から吐出された液冷媒を断熱膨張して、下流側の冷凍用蒸発器２２１に供給するためのものである。これにより、冷凍用蒸発器２２１は、冷凍用電子膨張弁２２３ａで断熱膨張した冷媒を蒸発させるものである。
【０１４１】
本実施の形態２では、冷凍用電子膨張弁２２３ａは、図示せぬ電子膨張弁コントローラから開度指令が与えられた場合に開度指令に応じて開度を変更し、通過する冷媒の流量を調節することのできる電子膨張弁を適用している。また、これら冷凍用電子膨張弁２２３ａのそれぞれの上流側の冷媒管路には、冷凍用電磁弁２２４が配設してある。
【０１４２】
これら冷凍用蒸発器群２２０において、各冷凍用ショーケース４〜６の収容庫４ａ〜６ａの内部には、冷凍庫内温度センサ２２５が設けてある一方、冷凍用蒸発器２２１に接続した冷媒管路の入口部、出口部及び中間部には、それぞれ冷媒温度センサ２２９ａ，２２９ｂ，２２９ｃが設けてある。入口部冷媒温度センサ２２９ａ及び出口部冷媒温度センサ２２９ｂは、それぞれの冷媒管路を通過する冷媒の温度を検出するものである。中間部冷媒温度センサ２２９ｃは、冷凍用蒸発器２２１の内部において出口部に近接した部位を通過する冷媒の温度を検出するものである。
【０１４３】
ブースターユニット２３は、冷凍用蒸発器群２２０の下流側であって、合流点Ｐよりも上流側に配設してある。より詳細に説明すると、ブースターユニット２３は、複数（図示の冷媒では４つ）のブースター圧縮機２３１及びブースター電磁弁２３２を備えて構成してあり、これらブースター圧縮機２３１が、ブースター電磁弁２３２とともに、並列となる態様で冷媒管路を通じて冷凍用蒸発器群２２０に接続して配設してある。
【０１４４】
ブースター圧縮機２３１は、それぞれ冷凍用蒸発器２２１で蒸発した冷媒を吸引して圧縮するものである。これにより、冷凍用蒸発器２２１の冷媒圧力が低下し、結果的に冷凍用蒸発器２２１での冷媒の蒸発温度を低下させることになる。
【０１４５】
ブースター電磁弁２３２は、それぞれブースター圧縮機２３１の上流側に配設してある。これらブースター電磁弁２３２は、制御ユニット４００から指令が与えられることによりオン・オフ制御されて、すなわち開閉動作して冷凍用蒸発器２２１から対応するブースター圧縮機２３１への冷媒の供給を遮断又は許容するものである。
【０１４６】
ブースター導入経路２４は、冷蔵用蒸発器群２１０の下流側の冷媒管路から分岐して、冷凍用蒸発器群２２０の下流側であってブースターユニット２３の上流側となる冷媒管路に合流する配管により構成される経路である。つまり、ブースター導入経路２４は、冷蔵用蒸発器群２１０を通過した冷媒をブースターユニット２３に導入させるための経路である。
【０１４７】
ブースター導入バルブ２５は、ブースター導入経路２４に配設してあり、制御ユニット４００から与えられる指令に応じて開閉動作して、開成状態となる場合には、冷蔵用蒸発器群２１０を通過した冷媒、すなわち冷蔵用蒸発器２１１で蒸発した冷媒がブースター導入経路２４を通過することを許容する一方、閉成状態となる場合には、冷蔵用蒸発器群２１０を通過した冷媒、すなわち冷蔵用蒸発器２１１で蒸発した冷媒がブースター導入経路２４を通過することを規制するものである。
【０１４８】
帰還バルブ２６は、ブースター導入経路２４との分岐個所から合流点Ｐに至る冷媒管路の所定個所に配設してあり、制御ユニット４００から与えられる指令に応じて開閉動作して、開成状態となる場合には、冷蔵用蒸発器群２１０を通過した冷媒、すなわち冷蔵用蒸発器２１１で蒸発した冷媒の通過を許容する一方、閉成状態となる場合には、冷蔵用蒸発器群２１０を通過した冷媒、すなわち冷蔵用蒸発器２１１で蒸発した冷媒の通過を規制するものである。
【０１４９】
制御ユニット４００は、冷却システムの動作を統括的に制御するものであり、図１４に示すように、圧縮制御部４１０とブースター制御部４２０とを備えて構成してある。
【０１５０】
圧縮制御部４１０は、設定記憶部４１０１と、通信処理部４１０２と、第１温度差測定部４１０３と、第２温度差測定部４１０４と、状態判断部４１０５と、圧縮機駆動処理部４１０６と、バルブ駆動処理部４１０７と、温度比較部４１０８とを備えて構成してある。
【０１５１】
設定記憶部４１０１は、圧縮制御部４１０が制御を行うのに必要なプログラムやデータを設定し、かつ記憶するためのものであり、特に本実施の形態２では、目標冷蔵庫内温度の上限値及び下限値、基準過熱度の上限値及び下限値、基準吸込室内温度の上限値及び下限値を設定し、かつ記憶している。通信処理部４１０２は、ブースター制御部４２０との間で種々の情報の通信処理を行うためのものである。
【０１５２】
第１温度差測定部４１０３は、中間部冷媒温度センサ２１９ｃの検出した冷媒温度から入口部冷媒温度センサ２１９ａの検出した冷媒温度を差し引いた第１冷媒温度差を算出するものである。第２温度差測定部４１０４は、出口部冷媒温度センサ２１９ｂの検出した冷媒温度から中間部冷媒温度センサ２１９ｃの検出した冷媒温度を差し引いた第２冷媒温度差を算出するものである。ここで、第１冷媒温度差は、出口部冷媒温度センサ２１９ｂの検出した冷媒温度から入口部冷媒温度センサ２１９ａの検出した冷媒温度を差し引いた値であっても構わない。
【０１５３】
状態判断部４１０５は、第１温度差測定部４１０３により算出された第１冷媒温度差、及び第２温度差測定部４１０４により算出された第２冷媒温度差と、設定記憶部４１０１に記憶する基準過熱度の上限値及び下限値との比較により、冷蔵用蒸発器２１１での冷媒の蒸発完了点が中間部付近にあるか否か、並びに冷蔵用蒸発器２１１から吐出された冷媒が気液２相状態にあるか否か、すなわちいわゆる液バック現象が生じているか否かを判断するものである。
【０１５４】
ここで、状態判断部４１０５は、冷蔵用蒸発器２１１での冷媒の蒸発完了点が中間部付近にあるものと判断した場合には、冷蔵用蒸発器２１１での冷蔵能力が過剰であると判断する一方、冷蔵用蒸発器２１１から吐出された冷媒が気液２相状態にあると判断した場合には、冷蔵用蒸発器２１１での冷蔵能力が不足であると判断するものとする。
【０１５５】
圧縮機駆動処理部４１０６は、圧縮機１１に指令を与えて圧縮機１１を駆動、停止させたり、圧縮機１１の運転回転数を増減させたりするものである。
【０１５６】
バルブ駆動処理部４１０７は、ブースター導入バルブ２５及び帰還バルブ２６のそれぞれに指令を与えて、ブースター導入バルブ２５を開成させる場合には帰還バルブ２６を閉成させる一方、ブースター導入バルブ２５を閉成させる場合には、帰還バルブ２６を開成させるものである。尚、常態においては、バルブ駆動処理部４１０７は、ブースター導入バルブ２５を閉成させて、帰還バルブ２６を開成させている。
【０１５７】
温度比較部４１０８は、各センサにて検出された温度と、設定記憶部４１０１に記憶する温度の上限値又は下限値とを比較するものである。
【０１５８】
ブースター制御部４２０は、設定記憶部４２０１と、通信処理部４２０２と、第１温度差測定部４２０３と、第２温度差測定部４２０４と、状態判断部（判断手段）４２０５と、ブースター電磁弁駆動処理部４２０６と、ブースター圧縮機駆動処理部４２０７とを備えて構成してある。
【０１５９】
設定記憶部４２０１は、ブースター制御部４２０が制御を行うのに必要なプログラムやデータを設定し、かつ記憶するためのものであり、特に本実施の形態２では、目標冷凍庫内温度の上限値及び下限値、基準過熱度の上限値及び下限値を記憶している。通信処理部４２０２は、圧縮制御部４１０との間で種々の情報の通信処理を行うためのものである。
【０１６０】
第１温度差測定部４２０３は、中間部冷媒温度センサ２２９ｃの検出した冷媒温度から入口部冷媒温度センサ２２９ａの検出した冷媒温度を差し引いた第１冷媒温度差を算出するものである。第２温度差測定部４２０４は、出口部冷媒温度センサ２２９ｂの検出した冷媒温度から中間部冷媒温度センサ２２９ｃの検出した冷媒温度を差し引いた第２冷媒温度差を算出するものである。ここで、第１冷媒温度差は、出口部冷媒温度センサ２２９ｂの検出した冷媒温度から入口部冷媒温度センサ２２９ａの検出した冷媒温度を差し引いた値であっても構わない。
【０１６１】
状態判断部４２０５は、第１温度差測定部４２０３により算出された第１冷媒温度差、及び第２温度差測定部４２０４により算出された第２冷媒温度差と、設定記憶部４２０１に記憶する基準過熱度の上限値及び下限値との比較により、冷凍用蒸発器２２１での冷媒の蒸発完了点が中間部付近にあるか否か、並びに冷凍用蒸発器２２１から吐出された冷媒が気液２相状態にあるか否か、すなわちいわゆる液バック現象が生じているか否かを判断するものである。
【０１６２】
ここで、状態判断部４２０５は、冷凍用蒸発器２２１での冷媒の蒸発完了点が中間部付近にあるものと判断した場合には、冷凍用蒸発器２２１での冷凍能力が過剰であると判断する一方、冷凍用蒸発器２２１から吐出された冷媒が気液２相状態にあると判断した場合には、冷凍用蒸発器２２１での冷凍能力が不足であると判断するものとする。
【０１６３】
ブースター電磁弁駆動処理部４２０６は、各ブースター電磁弁２３２に対して指令を与えることにより、オン・オフ制御、すなわち開成又は閉成させるものである。
【０１６４】
ブースター圧縮機駆動処理部４２０７は、各ブースター圧縮機２３１に指令を与えてブースター圧縮機２３１を駆動させたり、各ブースター圧縮機２３１の運転回転数を増減させたりするものである。
【０１６５】
以上のような冷却システムにおいては、冷凍機１０を構成する圧縮機１１で圧縮されて吐出された高温高圧のガス冷媒が凝縮器１２において凝縮して高温高圧の液冷媒となる。この高温高圧の液冷媒は、途中で分岐して一方がショーケース冷却ユニット２００へ、他方が空調ユニット３０へ吐出されることになる。ショーケース冷却ユニット２００に吐出された液冷媒は、途中で分岐して一方が冷蔵用蒸発器群２１０に、他方が冷凍用蒸発器群２２０に吐出される。
【０１６６】
冷蔵用蒸発器群２１０に吐出された液冷媒は、冷蔵用電子膨張弁２１３ａに分岐供給され、断熱膨張されて低温低圧の気液２相冷媒となって冷蔵用蒸発器２１１に供給される。冷蔵用蒸発器２１１に供給された低温低圧の気液２相冷媒は、送風ファン２１６によって吸込口２１７を通じて供給された冷蔵用ショーケース１〜３の収容庫１ａ〜３ａの庫内空気と熱交換し、蒸発して低温低圧のガス冷媒となることにより冷却された庫内空気は、吹出口２１８から収容庫１ａ〜３ａに吹き出され、これにより収容庫１ａ〜３ａの冷却が行われる。冷蔵用蒸発器２１１を経た低温低圧のガス冷媒は、圧縮機１１に吸引されることにより、その後に合流し、冷蔵用蒸発器群２１０から吐出されて開成状態となっている帰還バルブ２６を通過して合流点Ｐに至る。
【０１６７】
冷凍用蒸発器群２２０に吐出された液冷媒は、冷凍用電子膨張弁２２３ａに分岐供給され、断熱膨張されて低温低圧の気液２相冷媒となって、冷凍用蒸発器２２１に供給される。冷凍用蒸発器２２１に供給された低温低圧の気液２相冷媒は、送風ファン２２６によって吸込口２２７を通じて供給された冷凍用ショーケース４〜６の収容庫４ａ〜６ａの庫内空気と熱交換し、蒸発して低温低圧のガス冷媒となることにより庫内空気を冷却する。冷却された庫内空気は、吹出口２２８から収容庫４ａ〜６ａに吹き出され、これにより収容庫４ａ〜６ａの冷却が行われる。
【０１６８】
ここで、冷凍用蒸発器２２１での冷媒は、圧縮機１１による吸引力だけでなく、ブースターユニット２３を構成するブースター圧縮機２３１による吸引力も作用するために、圧力が冷蔵用蒸発器２１１での冷媒圧力よりも低くなっている。
【０１６９】
そのため、冷凍用蒸発器２２１での冷媒の蒸発温度は、冷蔵用蒸発器２１１での冷媒の蒸発温度よりも低く、これにより冷凍用ショーケース４〜６の収容庫４ａ〜６ａは、冷蔵用ショーケース１〜３の収容庫１ａ〜３ａよりも低くなる。
【０１７０】
冷凍用蒸発器２２１を経た低温低圧のガス冷媒は、ブースター圧縮機２３１及び圧縮機１１に吸引されることにより、その後に合流し、冷凍用蒸発器群２２０から吐出されてブースターユニット２３に吐出される。
【０１７１】
ブースターユニット２３に吐出された冷媒は、ブースター電磁弁２３２を介してブースター圧縮機２３１に分岐供給され、ブースター圧縮機２３１で圧縮され、圧縮機１１の吸引力が作用して、合流した後にブースターユニット２３から吐出されて合流点Ｐに至る。
【０１７２】
かかる合流点Ｐにて冷蔵用蒸発器群２１０から吐出された冷媒と、冷凍用蒸発器群２２０を通過してブースターユニット２３から吐出された冷媒とが合流し、圧縮機１１に吸入される。
【０１７３】
空調ユニット３０に吐出された液冷媒は、空調膨張弁３１に供給され、断熱膨張されて低温低圧の気液２相冷媒となって空調蒸発器３２に供給される。空調蒸発器３２に供給された低温低圧の気液２相冷媒は、空調ファン３３によって供給された室内空気と熱交換し、蒸発して低温低圧のガス冷媒となることにより室４の冷却を行う。空調蒸発器３２を経た低温低圧のガス冷媒は、圧縮機１１に吸入される。
【０１７４】
そして、このような冷却システムを構成する制御ユニット４００は、以下に示すような各制御処理を行う。
【０１７５】
図１５〜図１９は、それぞれ制御ユニットが個別に実施する処理の内容を示すフローチャートであり、図１５は冷蔵用蒸発器の負荷判断処理、図１６は冷凍用蒸発器の負荷判断処理、図１７はブースターユニット制御処理（２）、図１８は圧縮機駆動制御処理（３）、図１９はバルブ切替制御処理の処理内容を示すものである。以下、これらの図を参照しながら、冷却システムの動作について説明する。尚、制御ユニット４００は、実施の形態１で述べた圧縮機駆動制御処理（２）を実施するが、かかる処理については実施の形態１と同じものであるため、当該処理の説明については割愛する。
【０１７６】
図１５における冷蔵用蒸発器２１１の負荷判断処理において圧縮制御部４１０は、入口部冷媒温度センサ２１９ａ、出口部冷媒温度センサ２１９ｂ及び中間部冷媒温度センサ２１９ｃを通じてそれぞれの冷媒温度を検出し（ステップＳ２０１）、第１温度差測定部４１０３及び第２温度差測定部４１０４を通じて第１冷媒温度差及び第２冷媒温度差をそれぞれ算出する（ステップＳ２０２）。
【０１７７】
第１温度差測定部４１０３及び第２温度差測定部４１０４を通じて第１冷媒温度差及び第２冷媒温度差をそれぞれ算出した圧縮制御部４１０は、第１冷媒温度差及び第２冷媒温度差がともに設定記憶部４１０１に記憶された基準過熱度下限値未満であるか否かを判断する（ステップＳ２０３）。
【０１７８】
第１冷媒温度差及び第２冷媒温度差がともに基準過熱度下限値未満である場合（ステップＳ２０３：Ｙｅｓ）、圧縮制御部４１０は、状態判断部４１０５を通じて冷蔵用蒸発器２１１から吐出される冷媒が気液２相状態である、すなわち液バック現象が生じているものとして、冷蔵用蒸発器２１１の冷蔵能力が不足しているものと判断し（ステップＳ２０４）、手順をリターンして今回の処理を終了する。
【０１７９】
第１冷媒温度差及び第２冷媒温度差がともに基準過熱度下限値以上であって、ともに基準過熱度上限値を超えている場合（ステップＳ２０３：Ｎｏ，ステップＳ２０５：Ｙｅｓ）、圧縮制御部４１０は、状態判断部４１０５を通じて冷蔵用蒸発器２１１における冷媒の蒸発完了点が中間部近傍にあると判断して、冷蔵用蒸発器２１１での冷蔵能力が過剰であると判断し（ステップＳ２０６）、手順をリターンして今回の処理を終了する。
【０１８０】
一方、第１冷媒温度差及び第２冷媒温度差がともに基準過熱度下限値以上であって、ともに基準過熱度上限値以下の場合、あるいは第１冷媒温度差及び第２冷媒温度差の少なくとも１つが基準過熱度の下限値から上限値の間にある場合（ステップＳ２０３：Ｎｏ，ステップＳ２０５：Ｎｏ）、圧縮制御部４１０は、状態判断部４１０５を通じて冷蔵用蒸発器２１１の冷蔵能力が適当であると判断し（ステップＳ２０７）、手順をリターンして今回の処理を終了する。
【０１８１】
図１６における冷凍用蒸発器２２１の負荷判断処理においてブースター制御部４２０は、入口部冷媒温度センサ２２９ａ、出口部冷媒温度センサ２２９ｂ及び中間部冷媒温度センサ２２９ｃを通じてそれぞれの冷媒温度を検出し（ステップＳ２１１）、第１温度差測定部４２０３及び第２温度差測定部４２０４を通じて第１冷媒温度差及び第２冷媒温度差をそれぞれ算出する（ステップＳ２１２）。
【０１８２】
第１温度差測定部４２０３及び第２温度差測定部４２０４を通じて第１冷媒温度差及び第２冷媒温度差をそれぞれ算出した場合、ブースター制御部４２０は、第１冷媒温度差及び第２冷媒温度差がともに設定記憶部４２０１に記憶された基準過熱度下限値未満であるか否かを判断する（ステップＳ２１３）。
【０１８３】
第１冷媒温度差及び第２冷媒温度差がともに基準過熱度下限値未満である場合（ステップＳ２１３：Ｙｅｓ）、ブースター制御部４２０は、状態判断部４２０５を通じて冷凍用蒸発器２２１から吐出される冷媒が気液２相状態である、すなわち液バック現象が生じているものとして、冷凍用蒸発器２２１の冷凍能力が不足しているものと判断し（ステップＳ２１４）、手順をリターンして今回の処理を終了する。
【０１８４】
第１冷媒温度差及び第２冷媒温度差がともに基準過熱度下限値以上であって、ともに基準過熱度上限値を超えている場合（ステップＳ２１３：Ｎｏ，ステップＳ２１５：Ｙｅｓ）、ブースター制御部４２０は、状態判断部４２０５を通じて冷凍用蒸発器２２１における冷媒の蒸発完了点が中間部近傍にあると判断して、冷凍用蒸発器２２１での冷凍能力が過剰であると判断し（ステップＳ２１６）、手順をリターンして今回の処理を終了する。
【０１８５】
一方、第１冷媒温度差及び第２冷媒温度差がともに基準過熱度下限値以上であって、ともに基準過熱度上限値以下の場合、あるいは第１冷媒温度差及び第２冷媒温度差の少なくとも１つが基準過熱度の下限値から上限値の間にある場合（ステップＳ２１３：Ｎｏ，ステップＳ２１５：Ｎｏ）、ブースター制御部４２０は、状態判断部４２０５を通じて冷凍用蒸発器２２１の冷凍能力が適当であると判断し（ステップＳ２１７）、手順をリターンして今回の処理を終了する。
【０１８６】
図１７に示すブースターユニット制御処理（２）においてブースター制御部４２０は、上述した冷凍用蒸発器２２１の負荷判断処理の結果、冷凍能力不足と判断した冷凍用蒸発器２２１が１つ以上ある場合（ステップＳ２２１：Ｙｅｓ）、ブースター圧縮機駆動処理部４２０７を通じてブースター圧縮機２３１の運転台数を増大させることができるか否かを判断する（ステップＳ２２２）。
【０１８７】
その結果、運転台数の増大が可能な場合（ステップＳ２２２：Ｙｅｓ）、ブースター制御部４２０は、ブースター電磁弁駆動処理部４２０６を通じて該当するブースター電磁弁２３２をオン制御し（開動作させ）、ブースター圧縮機駆動処理部４２０７を通じて該当するブースター圧縮機２３１を駆動させ（ステップＳ２２３，ステップＳ２２４）、その後に手順をリターンして今回の処理を終了する。
【０１８８】
これによれば、ブースターユニット２３による冷媒の吸引力が増大し、冷凍用蒸発器群２２０を構成する冷凍用蒸発器２２１の冷媒圧力が低下して、冷凍用蒸発器２２１での冷媒の蒸発温度を低下させることが可能になる。
【０１８９】
このように冷媒の蒸発温度を低下させると、冷凍用ショーケース４〜６の収容庫４ａ〜６ａが冷却される結果、冷凍庫内温度を所望の温度範囲に推移させることが可能になる。
【０１９０】
ステップＳ２２２において、ブースター圧縮機２３１の運転台数を増大させることができない場合（ステップＳ２２２：Ｎｏ）、ブースター制御部４２０は、ブースター圧縮機駆動処理部４２０７を通じて該当するブースター圧縮機２３１の運転回転数を増大させ（ステップＳ２２５）、その後に手順をリターンして今回の処理を終了する。
【０１９１】
この結果、運転回転数を増大させたブースター圧縮機２３１の低圧圧力設定値を低下させることになり、冷凍用蒸発器群２２０を構成する冷凍用蒸発器２２１の冷媒圧力が低下して、冷凍用蒸発器２２１での冷媒の蒸発温度を低下させることが可能になる。
【０１９２】
このように冷媒の蒸発温度を低下させると、冷凍用ショーケース４〜６の収容庫４ａ〜６ａが冷却される結果、冷凍庫内温度を所望の温度範囲に推移させることが可能になる。
【０１９３】
上述した冷凍用蒸発器２２１の負荷判断処理の結果、冷凍能力不足と判断した冷凍用蒸発器２２１が１つもないが、冷凍能力過剰と判断した冷凍用蒸発器２２１が１つ以上ある場合（ステップＳ２２１：Ｎｏ，ステップＳ２２６：Ｙｅｓ）、ブースター制御部４２０は、ブースター圧縮機駆動処理部４２０７を通じてブースター圧縮機２３１の運転台数を低減させることができるか否かを判断する（ステップＳ２２７）。
【０１９４】
その結果、運転台数の低減が可能な場合（ステップＳ２２７：Ｙｅｓ）、ブースター制御部４２０は、ブースター電磁弁駆動処理部４２０６を通じて該当するブースター電磁弁２３２をオフ制御し（ステップＳ２２８）、その後に手順をリターンして今回の処理を終了する。
【０１９５】
この結果、オフ制御したブースター電磁弁２３２の下流側にあるブースター圧縮機２３１には冷媒が流れなくなり、これによりブースター圧縮機２３１は自動的に停止する。ブースター圧縮機２３１の運転台数を低減させることによりブースターユニット２３による冷媒の吸引力が低減し、これにより冷凍用蒸発器群２２０を構成する冷凍用蒸発器２２１の冷媒圧力が増大して、冷凍用蒸発器２２１での冷媒の蒸発温度を上昇させることが可能になる。
【０１９６】
このように冷媒の蒸発温度を上昇させると、冷凍用ショーケース４〜６の収容庫４ａ〜６ａの冷却が緩和される結果、冷凍庫内温度を所望の温度範囲に推移させることが可能になる。
【０１９７】
ステップＳ２２７においてブースター圧縮機２３１の運転台数を低減させることができない場合（ステップＳ２２７：Ｎｏ）、ブースター制御部４２０は、ブースター圧縮機駆動処理部４２０７を通じて該当するブースター圧縮機２３１の運転回転数を低減させ（ステップＳ２２９）、その後に手順をリターンして今回の処理を終了する。
【０１９８】
この結果、運転回転数を低減させたブースター圧縮機２３１の低圧圧力設定値を増大させることになり、冷凍用蒸発器群２２０を構成する冷凍用蒸発器２２１の冷媒圧力が増大して、冷凍用蒸発器２２１での冷媒の蒸発温度を上昇させることが可能になる。
【０１９９】
このように冷媒の蒸発温度を上昇させると、冷凍用ショーケース４〜６の収容庫４ａ〜６ａの冷却が緩和される結果、冷凍庫内温度を所望の温度範囲に推移させることが可能になる。
【０２００】
上述した冷凍用蒸発器２２１の負荷判断処理の結果、冷凍能力不足と判断した冷凍用蒸発器２２１、及び冷凍能力過剰と判断した冷凍用蒸発器２２１が１つもない場合（ステップＳ２２１：Ｎｏ，ステップＳ２２６：Ｎｏ）、ブースター制御部４２０は、ブースター電磁弁２３２及びブースター圧縮機２３１の状態を維持して、その後に手順をリターンして今回の処理を終了する。
【０２０１】
図１８に示す圧縮機駆動制御処理（３）において圧縮制御部４１０（制御ユニット４００）は、通信処理部４１０２を通じてブースター制御部４２０から状態判断部４２０５の判断結果を入力し、上述した冷凍用蒸発器２２１の負荷判断処理の結果、冷凍能力不足と判断した冷凍用蒸発器２２１が１つ以上あって、かつ上述した冷蔵用蒸発器２１１の負荷判断処理の結果、冷蔵能力不足と判断した冷蔵用蒸発器２１１が１つ以上ある場合（ステップＳ２３１：Ｙｅｓ）、圧縮機駆動処理部４１０６を通じて圧縮機１１の運転回転数を増大させ（ステップＳ２３２）、その後に手順をリターンして今回の処理を終了する。
【０２０２】
この結果、圧縮機１１の低圧圧力設定値を低下させることになり、各蒸発器の冷媒圧力が低下して、これら蒸発器での冷媒の蒸発温度を低下させることが可能になる。
【０２０３】
このように冷媒の蒸発温度を低下させると、各ショーケース１〜６の収容庫１ａ〜６ａが冷却される結果、該収容庫１ａ〜６ａの庫内温度を所望の温度範囲に推移させることが可能になる。
【０２０４】
上記冷凍用蒸発器２２１の負荷判断処理の結果、冷凍能力不足と判断した冷凍用蒸発器２２１が１つもないが、冷凍能力過剰と判断した冷凍用蒸発器２２１が１つ以上あって、かつ上記冷蔵用蒸発器２１１の負荷判断処理の結果、冷蔵能力不足と判断した冷蔵用蒸発器２１１が１つもないが、冷蔵能力過剰と判断した冷蔵用蒸発器２１１が１つ以上ある場合（ステップＳ２３１：Ｎｏ，ステップＳ２３３：Ｙｅｓ）、圧縮制御部４１０は、圧縮機駆動処理部４１０６を通じて圧縮機１１の運転回転数を低減させ（ステップＳ２３４）、その後に手順をリターンして今回の処理を終了する。
【０２０５】
この結果、圧縮機１１の低圧圧力設定値を増大させることになり、各蒸発器の冷媒圧力が増大して、各蒸発器での冷媒の蒸発温度を上昇させることが可能になる。
【０２０６】
このように冷媒の蒸発温度を上昇させると、各ショーケース１〜６の収容庫１ａ〜６ａの冷却が緩和される結果、収容庫１ａ〜６ａの庫内温度を所望の温度範囲に推移させることが可能になる。
【０２０７】
上記冷凍用蒸発器２２１の負荷判断処理の結果、冷凍能力不足及び冷凍能力過剰と判断した冷凍用蒸発器２２１が１つもなく、かつ上記冷蔵用蒸発器２１１の負荷判断処理の結果、冷蔵能力不足及び冷蔵能力過剰と判断した冷蔵用蒸発器２１１が１つもない場合（ステップＳ２３１：Ｎｏ，ステップＳ２３３：Ｎｏ）、圧縮制御部４１０は、圧縮機１１の運転状態を維持して手順をリターンして今回の処理を終了する。
【０２０８】
このような圧縮機駆動制御処理（３）は、実施の形態１で述べた圧縮機駆動制御処理（２）と並行して行われるが、冷蔵用ショーケース１〜３及び冷凍用ショーケース４〜６の各収容庫１ａ〜６ａには商品が陳列されていることから、本実施の形態２における冷却システムは、圧縮機駆動制御処理（３）の方が圧縮機駆動制御処理（２）よりも優先されるようにしてある。
【０２０９】
そして、圧縮機駆動制御処理（３）や圧縮機駆動制御処理（２）の処理において圧縮機１１の運転回転数が最大値となった場合には、制御ユニット４００は、次のようなバルブ切替制御処理を実施する。尚、かかるバルブ切替制御処理の前提として、ブースター導入バルブ２５が閉成し、帰還バルブ２６が開成しているものとする。
【０２１０】
図１９に示すバルブ切替制御処理において圧縮制御部４１０（制御ユニット４００）は、圧縮機駆動処理部４１０６を通じて圧縮機１１の運転回転数が最大値であるか否かを判断し（ステップＳ２４１）、運転回転数が最大値である場合（ステップＳ２４１：Ｙｅｓ）、圧縮制御部４１０は、冷蔵庫内温度センサ２１５を通じてそれぞれの冷蔵用ショーケース１〜３における収容庫１ａ〜３ａの冷蔵庫内温度を検出し（ステップＳ２４２）、温度比較部４１０８を通じて検出した冷蔵庫内温度が設定記憶部４２０１に記憶された目標冷蔵庫内温度の上限値を超えているか否かを判断する（ステップＳ２４３）。
【０２１１】
いずれかの冷蔵用ショーケース１〜３において冷蔵庫内温度（収容庫１ａ〜３ａの内部温度）が目標冷蔵庫内温度上限値を超えている場合（ステップＳ２４３：Ｙｅｓ）、圧縮制御部４１０は、バルブ駆動処理部４１０７を通じてブースター導入バルブ２５をオン制御し（開動作させ）（ステップＳ２４４）、帰還バルブ２６をオフ制御する（閉動作させる）（ステップＳ２４５）。
【０２１２】
この結果、冷蔵用蒸発器群２１０を通過した冷媒、すなわち冷蔵用蒸発器２１１で蒸発した冷媒は、ブースター導入経路２４を通過して、ブースターユニット２３に吐出される。つまり、冷蔵用蒸発器２１１の冷媒圧力が、ブースター圧縮機２３１に吸引されることにより低下して、冷蔵用蒸発器２１１での冷媒の蒸発温度を低下させることが可能になる。
【０２１３】
このように冷媒の蒸発温度を低下させると、冷蔵用ショーケース１〜３の収容庫１ａ〜３ａが更に冷却される結果、冷蔵庫内温度を所望の温度範囲に推移させることが可能になる。
【０２１４】
いずれかの冷蔵用ショーケース１〜３において冷蔵庫内温度が目標冷蔵庫内温度上限値以下の場合（ステップＳ２４３：Ｎｏ）、圧縮制御部４１０は、ブースター導入バルブ２５及び帰還バルブ２６の状態を維持して、その後に手順をリターンして今回の処理を終了する。
【０２１５】
以上説明したような本発明の実施の形態２の冷却システムによれば、ブースター制御部４２０（制御ユニット４００）が、状態判断部４２０５により冷凍用蒸発器２２１から吐出された冷媒が気液２相状態であると判断されたものが１つ以上ある場合には、ブースター圧縮機２３１の運転台数及び運転回転数の少なくとも１つを低減させるので、全てのブースター圧縮機２３１を常時運転させる必要はない。しかも冷凍用蒸発器２２１とブースター圧縮機２３１とが複数対複数の関係になっていることから、ブースター圧縮機２３１の運転回転数だけでなく、運転台数を増減させることにより、各冷凍用蒸発器２２１の冷媒の蒸発温度を制御することができ、各冷凍用蒸発器２２１での冷却をきめ細かく調整することができる。従って、十分に高い運転効率を得ながら、収容庫１ａ〜６ａを良好に所望の温度状態にすることができる。
【０２１６】
上記冷却システムによれば、圧縮制御部４１０が、ブースター制御部４２０によるブースターユニット制御処理（２）と並行して、各蒸発器の負荷を判断して圧縮機１１の運転回数を増減させるので（圧縮機駆動制御処理（３））、運転効率を向上させることができ、これによりシステム全体の運転の省エネルギー化を図ることができる。
【０２１７】
また、本実施の形態２の冷却システムによれば、圧縮制御部４１０が、圧縮機駆動制御処理（３）及びブースター制御部４２０によるブースターユニット制御処理（２）と並行して、吸込温度センサ３６により検出された吸込室内温度と基準吸込室内温度との偏差から空調蒸発器３２の負荷を判断して圧縮機１１の運転回転数を増減させるので、運転効率を向上させることができ、これによりシステム全体の運転の省エネルギー化を図ることができる。
【０２１８】
更に、本実施の形態２の冷却システムによれば、圧縮制御部４１０が、圧縮機１１の運転回転数が最大値であって冷蔵庫内温度センサ２１５により検出された冷蔵庫内温度が目標冷蔵庫内温度上限値を超えている場合に、ブースター導入バルブ２５をオン制御し、かつ帰還バルブ２６をオフ制御するので、冷蔵蒸発器群と冷凍蒸発器群との間でブースター圧縮機２３１を共有して利用することが可能になり、しかも冷蔵用蒸発器２１１での冷媒の蒸発温度を低下させて冷蔵用ショーケース１〜３の収容庫１ａ〜３ａを良好に冷却することができる。
【０２１９】
また更に、本実施の形態２の冷却システムによれば、蓄冷槽２１２，２２２が冷熱を蓄積しているので、必要に応じてかかる蓄冷槽２１２，２２２が蓄積した冷熱を利用して送風ファン２１６，２２６により送風された庫内空気を冷却することができるので、圧縮機１１及びブースター圧縮機２３１の運転負荷を平準化させて省エネルギー化を図ることができる。
【０２２０】
以上、本発明の実施の形態２について説明したが、本発明はこれに限定されるものではなく、種々の変更を行うことができる。例えば、上述の実施の形態２では、空調蒸発器３２の負荷を判断する際に吸込温度センサ３６により検出される吸込室内温度を用いたが、本発明では、空調蒸発器３２の負荷を判断することができるものであれば吸込室内温度に限る必要はなく、吹出口から吹き出される室内空気の温度（吹出室内空気温度）を用いても構わないし、吸込室内温度から吹出室内温度を減じた値を用いても構わない。
【０２２１】
また、上述した実施の形態２においては、ブースターユニット制御処理（２）において、ブースター圧縮機２３１の運転台数の制御を中心に実施し、運転台数の増減が不可能な場合にブースター圧縮機２３１の運転回転数を増減させるような制御を実施していたが、本発明では、必ずしもブースター圧縮機２３１の運転台数の制御を中心に実施する必要はなく、運転回転数の制御を中心に行っても構わない。
＜実施の形態３＞
図２０は、本発明の実施の形態３である冷却システムを模式的に示す模式図である。尚、上述した実施の形態１の冷却システムと同一の構成を有するものには同一の符号を付し、その説明を適宜省略する。ここに例示する冷却システムは、冷凍機１０、ショーケース冷却ユニット２０１、空調ユニット３０及び制御ユニット４０を備えて構成してある。
【０２２２】
図２１は、図２０に示したショーケース冷却ユニット２０１の要部を模式的に示す模式図であり、本実施の形態３の特徴的な部分を示しており、その他の部分についての明示は割愛している。
【０２２３】
この図２１に示すように、ショーケース冷却ユニット２０１は、上述した実施の形態１の冷却システムを構成するショーケース冷却ユニット２０と同様に、例えば室内の所定個所に設置された複数のショーケース１〜６の収容庫１ａ〜６ａを所望の温度状態にするためのもので、冷蔵用蒸発器群２１０ａと、冷凍用蒸発器群２２０ａと、ブースターユニット２３と、ブースター導入経路２４と、ブースター導入バルブ２５と、帰還バルブ２６とを備えて構成してある。
【０２２４】
そして、本実施の形態３におけるショーケース冷却ユニット２０１では、冷蔵用蒸発器群２１０ａを構成する冷蔵用蒸発器２１１、並びに冷凍用蒸発器群２２０ａを構成する冷凍用蒸発器２２１の構成が実施の形態１におけるショーケース冷却ユニット２０１と異なる。
【０２２５】
すなわち、各蒸発器２１１，２２１は、共通の規格化された大きさを有しており、収容庫１ａ〜６ａの冷却負荷の大きさに応じて配設数が増大する態様でそれぞれのショーケース１〜６に設けられる数が決められている。より詳細に説明すると、各蒸発器２１１，２２１は、最も冷却負荷が小さい収容庫１ａを必要十分に冷却することができる大きさにしてある。
【０２２６】
そして、図２１に示すように、収容庫１ａ〜３ａの冷却負荷が比較的小さい冷蔵用ショーケース１〜３には１つの冷蔵用蒸発器２１１が配設してあり、収容庫４ａ〜６ａの冷却負荷が比較的大きい冷凍用ショーケース４〜６には２つの冷凍用蒸発器２２１が並列、あるいは直列となる態様で配設してある。
【０２２７】
また、冷凍用ショーケース４〜６においては、冷凍用蒸発器２２１を構成する一方側の入口及び出口に接続する冷媒管路には、それぞれ流入側電磁弁２２１ａ及び吐出側電磁弁２２１ｂが設けてある。
【０２２８】
流入側電磁弁２２１ａ及び吐出側電磁弁２２１ｂは、例えば制御ユニット４０から指令が与えられることにより、オン・オフ制御されて、ともに開成する場合には、該当する蒸発器への冷媒の通過を許容する一方、ともに閉成する場合には、該当する蒸発器への冷媒の通過を規制するものである。
【０２２９】
尚、図には明示しないが、複数の冷凍用蒸発器（２２１）を直列となる態様で配設する場合には、流入側電磁弁（２２１ａ）及び吐出側電磁弁（２２１ｂ）は、各冷凍用蒸発器（２２１）に設ける必要はなく、冷凍用蒸発器群２２０ａの流入側と吐出側とに設ければ良い。
【０２３０】
このようなショーケース冷却ユニット２０１を備えた本実施の形態３における冷却システムは、上述した実施の形態１における冷却システムが奏する作用効果に加えて、以下のような作用効果を奏する。
【０２３１】
すなわち、複数の蒸発器２１１，２２１が、それぞれ規格化された共通の大きさを有し、収容庫１ａ〜６ａの冷却負荷の大きさに応じて配設数が増大する態様でそれぞれのショーケース１〜６に設けられる数が決められているので、収容庫１ａ〜６ａの冷却負荷の大きさに応じて蒸発器の大きさを設計する必要がない。従って、かかる蒸発器の大量生産により製造コストの低減化を図ることができる。
【０２３２】
上記冷却システムによれば、各蒸発器の大きさは最も冷却負荷の小さい収容庫１ａを必要十分に冷却することができる大きさにしてあるので、各蒸発器の熱交換面積を良好に拡大させることができ、これにより、効率的な運転が可能になる結果、省エネルギー化を図ることができる。
＜実施の形態４＞
図２２は、本発明の実施の形態４である冷却システムを模式的に示す模式図である。尚、上述した実施の形態１での冷却システムと同一の構成を有するものには同一の符号を付してその説明を適宜省略する。
【０２３３】
ここに例示する冷却システムは、冷凍機１０、ショーケース冷却ユニット２０、空調ユニット３００及び制御ユニット４０１を備えて構成してある。
【０２３４】
空調ユニット３００は、ショーケース冷却ユニット２０の冷却対象となるショーケース１〜６が設置された室４の内部を所望の温度状態にするためのもので、図２３に示すように、該室４の上方側外部となる上部ダクト５に配設してあり、空調膨張弁３１と、空調蒸発器３２と、空調ファン３３と、吸込温度センサ３６と、ルーバー３７とを備えて構成してある。
【０２３５】
ルーバー３７は、吹出口３５の近傍で開閉動作可能に配設してあり、空調蒸発器３２で冷却され、かつ吹出口３５を通じて室４に吹き出される室内空気の吹出方向を調整する吹出方向調整手段である。
【０２３６】
図２３には、１つの空調ユニット３００だけを明示しているが、本発明では空調ユニット３００は複数設けてあっても構わない。また、図示の空調ユニット３００は、同じく図中に明示した３つの冷蔵用ショーケース１〜３のうち、真ん中の冷蔵用ショーケース２を適用対象としているものとして説明する。
【０２３７】
冷蔵用ショーケース１〜３においては、冷蔵庫内温度センサ２１５の他に、吹出口温度センサ２１９ａ及び吸込口温度センサ２１９ｂが設けてある。
【０２３８】
吹出口温度センサ２１９ａは、送風ファン２１６の作用により吹出口２１８を通じて吹き出される庫内空気の温度を検出するものであり、吸込口温度センサ２１９ｂは、送風ファン２１６の作用により吸込口２１７を通じて吸い込まれる庫内空気の温度を検出するものである。
【０２３９】
制御ユニット４０１は、冷却システムの動作を統括的に制御するものであり、図２４に示すように、圧縮制御部４１と、ブースター制御部４２と、吹出方向制御部４３とを備えて構成してある。吹出方向制御部４３は、設定記憶部４３１、通信処理部４３２、判定部４３３及びルーバー駆動処理部４３４を備えて構成してある。
【０２４０】
設定記憶部４３１は、吹出方向制御部４３が制御を行うのに必要なプログラムやデータを設定し、かつ記憶するためのものであり、特に本実施の形態４では、各基準温度（基準庫内温度、基準吹出口温度、基準吸込口温度）の値を設定し、かつ記憶している。
【０２４１】
ここで、各基準温度は、実験的に求めたものであり、除霜運転終了後所定時間経過した時点での安定状態における各温度に所定温度（例えば２℃又は３℃等）を加算したものである。冷蔵用ショーケース２は、周知のように、除霜運転、プルダウン、通常運転を設定時間毎に繰り返し行っている。
【０２４２】
通信処理部４３２は、圧縮制御部４１及びブースター制御部４２との間で別個に種々の情報の通信処理を行うためのものである。
【０２４３】
判定部４３３は、冷蔵庫内温度センサ２１５、吹出口温度センサ２１９ａ及び吸込口温度センサ２１９ｂで検出された温度に基づいて対象となる冷蔵用ショーケース２に、吹出口２１８を通じて吹き出されて吸込口２１７に至る庫内空気、すなわちエアカーテンに乱れが生じているか否かを判定するものである。
【０２４４】
ルーバー駆動処理部４３４は、ルーバー３７に指令を与えることにより、ルーバー３７を開動作、あるいは閉動作させるものである。
【０２４５】
図２５は、制御ユニット４０１が実施する吹出方向制御処理の内容を示すフローチャートである。以下、図２５を参照しながら、冷却システムの動作について説明する。
【０２４６】
吹出方向制御処理において吹出方向制御部４３（制御ユニット４０１）は、吹出口温度センサ２１９ａ及び吸込口温度センサ２１９ｂのそれぞれから検出した吹出口温度及び吸込口温度を入力し、かつ通信処理部４３２を通じて圧縮制御部４１より冷蔵庫内温度を入力した場合（ステップＳ４０１：Ｙｅｓ）、判定部４３３を通じて、これら各温度と設定記憶部４３１に記憶される各基準温度とを比較し（ステップＳ４０２）、対応する基準温度を超える温度が２つ以上あるか否かを判断する（ステップＳ４０３）。
【０２４７】
基準温度を超える温度が２つ以上ない場合（ステップＳ４０３：Ｎｏ）、吹出方向制御部４３は、後述する処理を実施することなく、手順をリターンして今回の処理を終了する。
【０２４８】
ステップＳ４０３において、基準温度を超える温度が２つ以上ある場合（ステップＳ４０３：Ｙｅｓ）、吹出方向制御部４３は、それが一時的であるか否かを判断する（ステップＳ４０４）。
【０２４９】
ここで、一時的であるか否かの判断は、過去数年分の温度の移動平均に関するデータや、所定時間後（例えば５分後）に各センサより各温度を入力してこれらの温度が各基準温度を超えているかを判断することにより行われる。
【０２５０】
その結果、一時的である場合（ステップＳ４０４：Ｙｅｓ）、吹出方向制御部４３は、後述する処理を実施することなく、手順をリターンして今回の処理を終了する。
【０２５１】
一方、一時的でない場合（ステップＳ４０４：Ｎｏ）、吹出方向制御部４３は、当該冷蔵用ショーケース２では、エアカーテンに乱れが生じているものと判定し、ルーバー駆動処理部４３４を通じてルーバー３７が既に真下方向に向いているか否かを確認し（ステップＳ４０５）、真下方向を向いている場合（ステップＳ４０５：Ｙｅｓ）、ルーバー駆動処理部４３４を通じてルーバー３７を閉動作させて（ステップＳ４０６）、その後に手順をリターンして今回の処理を終了する。このようにルーバー３７を閉動作させることにより、吹出口２１８が閉成される。
【０２５２】
ルーバー３７が真下方向を向いていない場合（ステップＳ４０５：Ｎｏ）、吹出方向制御部４３は、ルーバー駆動処理部４３４を通じてルーバー３７を所定量だけ開動作させて（ステップＳ４０７）、その後に手順をリターンして今回の処理を終了する。この結果、対象となる冷蔵用ショーケース２に対して空調蒸発器３２で冷却された室内空気を吹き出すことが可能になる。  以上説明したように本発明の実施の形態４における冷却システムは、上述した実施の形態１の冷却システムが奏する作用効果に加えて、以下のような作用効果を奏する。すなわち、３つの温度（庫内温度、吹出口温度及び吸込口温度）のうち２つ以上の温度が対応する基準温度を超えている場合にエアカーテンに乱れが生じているものと判定するので、十分に高い精度でエアカーテンの乱れを検出できる。そして、エアカーテンの乱れを判定した場合に、ルーバー３７を開動作させて該当する冷蔵用ショーケース２に対して空調蒸発器３２で冷却された室内空気を吹き出すことにより、該冷蔵用ショーケース２の収容庫２ａを一定の温度範囲内に保持することができ、無駄な電力を使用しないで省エネルギー化を図ることができる。
【０２５３】
また、吹出方向制御部４３は、該当する冷蔵用ショーケース２が除霜運転にある場合には、上述した吹出方向制御処理とは関係なく、ルーバー駆動処理部４３４を通じてルーバー３７を開動作させて、空調蒸発器３２で冷却した室内空気を該冷蔵用ショーケース２に向けて吹き出させても良い。これによれば、除霜運転中の冷蔵用ショーケース２の収容庫２ａが必要以上に温度上昇する事態を回避でき、商品の冷却能力を保持することができる。
＜実施の形態５＞
図２６は、本発明の実施の形態５である冷却システムを模式的に示す模式図である。尚、上述した実施の形態１での冷却システムと同一の構成を有するものには同一の符号を付してその説明を適宜省略する。ここに例示する冷却システムは、冷凍機１０、ショーケース冷却ユニット２０、空調ユニット３００及び制御ユニット４０２を備えて構成してある。
【０２５４】
空調ユニット３００は、ショーケース冷却ユニット２０の冷却対象となるショーケース１〜６が設置された室４の内部を所望の温度状態にするためのもので、図２７に示すように、該室４の上方側外部となる上部ダクト５に配設してあり、空調膨張弁３１と、空調蒸発器３２と、空調ファン３３と、吸込温度センサ３６と、ルーバー３７とを備えて構成してある。
【０２５５】
ルーバー３７は、吹出口３５の近傍で開閉動作可能に配設してあり、空調蒸発器３２で冷却され、かつ吹出口３５を通じて室４に吹き出される室内空気の吹出方向を調整する吹出方向調整手段である。
【０２５６】
図２７には、１つの空調ユニット３００だけを明示しているが、本発明では、空調ユニット３００が複数設けてあっても構わない。また、図示の空調ユニット３００は、同じく図中に明示した３つの冷蔵用ショーケース１〜３のうち、真ん中の冷蔵用ショーケース２を適用対象としているものとして説明する。
【０２５７】
冷蔵用ショーケース２においては、吸込口温度センサ２１９ｂが設けてある。吸込口温度センサ２１９ｂは、送風ファン２１６の作用により吸込口２１７を通じて吸い込まれる庫内空気の温度を検出するものである。
【０２５８】
制御ユニット４０２は、冷却システムの動作を統括的に制御するものであり、図２８に示すように、圧縮制御部４１と、ブースター制御部４２と、吹出空気制御部４４とを備えて構成してある。吹出空気制御部４４は、設定記憶部４４１、通信処理部４４２、タイマー部４４３、判断部４４４、ルーバー駆動処理部４４５及びファン駆動処理部４４６を備えて構成してある。
【０２５９】
設定記憶部４４１は、吹出空気制御部４４が制御を行うのに必要なプログラムやデータを設定し、かつ記憶するためのものであり、特に本実施の形態５では、負荷低減情報の値を設定し、かつ記憶している。
【０２６０】
ここで、負荷低減情報は、図２９及び図３０に示すようなテーブルを有している。図２９は、予め実験的に求めておいたものであり、除霜運転終了時点からの経過時間毎の吸込口温度の標準値（以下、標準吸込口温度ともいう）を定めたものである。図３０も実験的に求められたものであり、吸込口温度センサ２１９ｂを通じて検出した吸込口温度と、標準吸込口温度との温度差毎の吹出空気温度、吹出方向、吹出空気量を定めたものである。
【０２６１】
尚、図３０において検出した吸込口温度と標準吸込口温度との差が１℃の場合には、許容範囲にあるものとして吹出空気温度、吹出方向及び吹出空気量については維持するようにしてある。
【０２６２】
そして、これら２つのテーブルより、負荷低減情報には基準吸込口温度が定められている。すなわち、標準吸込口温度に、図３０に示す２℃以上の温度差を加算したものが基準吸込口温度と定められている。これにより、基準吸込口温度は、除霜運転終了時点からの経過時間に応じて値が異なる。
【０２６３】
通信処理部４４２は、圧縮制御部４１及びブースター制御部４２との間で別個に種々の情報の通信処理を行うためのものである。
【０２６４】
タイマー部４４３は、時間計測を行うものであり、本実施の形態５では除霜運転終了時点からの時間計測を行うものである。
【０２６５】
判断部４４４は、吸込口温度センサ２１９ｂを通じて検出された吸込口温度と、設定記憶部４４１に記憶された負荷低減情報に含まれる基準吸込口温度とを比較の結果、該当するショーケース２の熱負荷を判断して、吹出空気温度、吹出方向及び吹出空気量を決定するものである。
【０２６６】
ルーバー駆動処理部４４５は、ルーバー３７に指令を与えることにより、ルーバー３７を開動作、あるいは閉動作させるものである。
【０２６７】
ファン駆動処理部４４６は、空調ファン３３に指令を与えることにより、空調ファン３３を駆動させるものである。
【０２６８】
図３１は、制御ユニット４０２が実施する吹出空気制御処理の内容を示すフローチャートである。以下、図３１を参照しながら、冷却システムの動作について説明する。
【０２６９】
尚、以下においては、タイマー部４４３による時間計測については説明しないが、ショーケース２の除霜運転終了時点から時間計測を行っているものとする。
【０２７０】
吹出空気制御処理において吹出空気制御部４４（制御ユニット４０２）は、タイマー部４４３で計測したある時間において、吸込口温度センサ２１９ｂから検出した吸込口温度を入力した場合（ステップＳ５０１：Ｙｅｓ）、判断部４４４を通じて、検出した吸込口温度が、設定記憶部４４１に記憶される負荷低減情報に含まれる基準吸込口温度以上であるか否かを判断する（ステップＳ５０２）。
【０２７１】
検出した吸込口温度が基準吸込口温度以上でない場合（ステップＳ５０２：Ｎｏ）、すなわち検出した吸込口温度が基準吸込口温度未満である場合、つまり、検出した吸込口温度が対応する時間の標準吸込口温度に比して±１℃以下の差しかない場合には、吹出空気制御部４４は、後述する処理を実施することなく、手順をリターンして今回の処理を終了する。
【０２７２】
ステップＳ５０２において、検出した吸込口温度が基準吸込口温度以上である場合（ステップＳ５０２：Ｙｅｓ）、吹出空気制御部４４は、該当する冷蔵用ショーケース２の熱負荷が増大しているものとして、設定記憶部４４１に記憶される負荷低減情報に含まれるテーブルに基づいて、ルーバー駆動処理部４４５を通じてルーバー３７を決められた角度だけ開動作させるとともに、ファン駆動処理部４４６を通じて空調ファン３３の回転数を決められた大きさに増大させ、更に通信処理部４４２を通じて圧縮制御部４１に指令を与えて圧縮機駆動処理部４１５を通じて圧縮機１１を決められた運転回転数に増大させ（ステップＳ５０３，ステップＳ５０４，ステップＳ５０５）、手順をリターンして今回の処理を終了する。
【０２７３】
このようにルーバー３７を開動作させることにより、吹出口３５から吹き出される室内空気の吹出方向が調整することができ、空調ファン３３の回転数を増大させることにより、吹出口３５から吹き出される室内空気の吹出空気量を増大させることができ、更に圧縮機１１の運転回転数を増大させることにより、空調蒸発器３２での冷却能力が向上する結果、吹出口３５から吹き出される室内空気の吹出温度が低下させることができる。
【０２７４】
以上説明したように本発明の実施の形態５における冷却システムは、上述した実施の形態１の冷却システムが奏する作用効果に加えて、以下のような作用効果を奏する。
【０２７５】
すなわち、吸込口温度センサ２１９ｂを通じて検出した吸込口温度が基準吸込口温度以上となる場合に該当するショーケース２の熱負荷が増大しているものと判断して、負荷低減情報に含まれるテーブルに基づき吹出口３５から吹き出される室内空気の吹出方向、吹出空気量及び吹出空気温度を制御することにより、該ショーケース２の熱負荷を低減させることができ、その結果、省エネルギー化を図ることができる。
【０２７６】
以上説明した本発明の実施の形態５においては、吸込口温度を基準にしてショーケース２の熱負荷を判断して吹出空気制御処理を実施していたが、本発明はこれに限定されるものではなく、以下のように該当するショーケース２の周辺温度や、該当するショーケース２の周辺絶対湿度を基準にしてショーケース２の熱負荷を判断して吹出空気制御処理を実施しても良い。
【０２７７】
例えば、図３２に示すように、冷蔵用ショーケース１〜３の外部には、それぞれ周辺温度センサ２１９ｃが設けてある。周辺温度センサ２１９ｃは、冷蔵用ショーケース１〜３の周辺の温度を検出するものである。
【０２７８】
そして、吹出空気制御部４４は、図３３に示すように、設定記憶部４４１ａ、通信処理部４４２、タイマー部４４３、判断部４４４ａ、ルーバー駆動処理部４４５及びファン駆動処理部４４６を備えて構成してある。
【０２７９】
設定記憶部４４１ａは、吹出空気制御部４４が制御を行うのに必要なプログラムやデータを設定し、かつ記憶するためのものであり、特に本変形例では、基準吸込口温度の代わりに基準周辺温度が設定し、かつ記憶してある。
【０２８０】
判断部４４４ａは、周辺温度センサ２１９ｃを通じて検出された周辺温度と、設定記憶部４４１ａに記憶された基準周辺温度とを比較の結果、該当するショーケース２の熱負荷を判断して、吹出空気温度、吹出方向及び吹出空気量を決定するものである。
【０２８１】
図３４は、図３１に示した吹出空気制御処理の変形例の内容を示すフローチャートである。以下、図３４を参照しながら、冷却システムの動作について説明する。尚、以下においては、タイマー部４４３による時間計測については説明しないが、ショーケース２の除霜運転終了時点から時間計測を行っているものとする。
【０２８２】
吹出空気制御処理において吹出空気制御部４４（制御ユニット４０２）は、タイマー部４４３で計測したある時間において、周辺温度センサ２１９ｃから検出した周辺温度を入力した場合（ステップＳ５１１：Ｙｅｓ）、判断部４４４ａを通じて、検出した周辺温度が、設定記憶部４４１ａに記憶される基準周辺温度以上であるか否かを判断する（ステップＳ５１２）。
【０２８３】
検出した周辺温度が基準周辺温度以上でない場合（ステップＳ５１２：Ｎｏ）、すなわち検出した周辺温度が基準周辺温度未満である場合には、吹出空気制御部４４は、後述する処理を実施することなく、手順をリターンして今回の処理を終了する。
【０２８４】
ステップＳ５１２において、検出した周辺温度が基準周辺温度以上である場合（ステップＳ５１２：Ｙｅｓ）、吹出空気制御部４４は、該当する冷蔵用ショーケース２の熱負荷が増大しているものとして、設定記憶部４４１ａに記憶される負荷低減情報に含まれるテーブルに基づいて、ルーバー駆動処理部４４５を通じてルーバー３７を決められた角度だけ開動作させるとともに、ファン駆動処理部４４６を通じて空調ファン３３の回転数を決められた大きさに増大させ、更に通信処理部４４２を通じて圧縮制御部４１に指令を与えて圧縮機駆動処理部４１５を通じて圧縮機１１を決められた運転回転数に増大させ（ステップＳ５１３，ステップＳ５１４，ステップＳ５１５）、手順をリターンして今回の処理を終了する。
【０２８５】
ルーバー３７を開動作させることにより、吹出口３５から吹き出される室内空気の吹出方向が調整することができ、空調ファン３３の回転数を増大させることにより、吹出口３５から吹き出される室内空気の吹出空気量を増大させることができ、更に圧縮機１１の運転回転数を増大させることにより、空調蒸発器３２での冷却能力が向上する結果、吹出口３５から吹き出される室内空気の吹出温度が低下させることができる。
【０２８６】
このように周辺温度センサ２１９ｃを通じて検出した周辺温度が基準周辺温度以上となる場合に該当するショーケース２の熱負荷が増大しているものと判断して、負荷低減情報に含まれるテーブルに基づき吹出口３５から吹き出される室内空気の吹出方向、吹出空気量及び吹出空気温度を制御することにより、該ショーケース２の熱負荷を低減させることができ、その結果、省エネルギー化を図ることができる。
【０２８７】
次に他の変形例として、図３５に示すように、冷蔵用ショーケース１〜３の外部には、それぞれエンタルピセンサが設けてある。エンタルピセンサは、冷蔵用ショーケース１〜３の周辺の温度と湿度とを検出するものである。
【０２８８】
そして、吹出空気制御部４４は、図３６に示すように、設定記憶部４４１ｂ、通信処理部４４２、タイマー部４４３、絶対湿度導出部４４７、判断部４４４ｂ、ルーバー駆動処理部４４５及びファン駆動処理部４４６を備えて構成してある。
【０２８９】
設定記憶部４４１ｂは、吹出空気制御部４４が制御を行うのに必要なプログラムやデータを設定し、かつ記憶するためのものであり、特に本変形例では、基準吸込口温度の代わりに基準絶対湿度が負荷低減情報として設定し、かつ記憶してある。
【０２９０】
絶対湿度導出部４４７は、エンタルピセンサを通じて検出された周辺温度及び周辺湿度（相対湿度）に基づいて周辺絶対湿度を導出するものである。
【０２９１】
判断部４４４ｂは、絶対湿度導出部４４７を通じて導出された周辺絶対温度と、設定記憶部４４１ｂに記憶された基準絶対湿度とを比較の結果、該当するショーケース２の熱負荷を判断して、吹出空気温度、吹出方向及び吹出空気量を決定するものである。
【０２９２】
図３７は、図３１に示した吹出空気制御処理の他の変形例の内容を示すフローチャートである。以下、図３７を参照しながら、冷却システムの動作について説明する。
【０２９３】
尚、以下においては、タイマー部４４３による時間計測については説明しないが、ショーケース２の除霜運転終了時点から時間計測を行っているものとする。
【０２９４】
吹出空気制御処理において吹出空気制御部４４（制御ユニット４０２）は、タイマー部４４３で計測したある時間において、エンタルピセンサから検出した周辺温度及び周辺湿度（相対湿度）を入力した場合（ステップＳ５２１：Ｙｅｓ）、絶対湿度導出部４４７を通じて周辺絶対湿度を導出する（ステップＳ５２２）。
【０２９５】
周辺絶対湿度を導出した吹出空気制御部４４は、判断部４４４ｂを通じて、導出した周辺絶対湿度が、設定記憶部４４１ｂに記憶される基準絶対湿度以上であるか否かを判断する（ステップＳ５２３）。
【０２９６】
導出した周辺絶対湿度が基準絶対湿度以上でない場合（ステップＳ５２３：Ｎｏ）、すなわち導出した周辺絶対湿度が基準絶対湿度未満である場合には、吹出空気制御部４４は、後述する処理を実施することなく、手順をリターンして今回の処理を終了する。
【０２９７】
ステップＳ５２３において、導出した周辺絶対湿度が基準絶対湿度以上である場合（ステップＳ５２３：Ｙｅｓ）、吹出空気制御部４４は、該当する冷蔵用ショーケース２の熱負荷が増大しているものとして、設定記憶部４４１ｂに記憶される負荷低減情報に含まれるテーブルに基づいて、ルーバー駆動処理部４４５を通じてルーバー３７を決められた角度だけ開動作させるとともに、ファン駆動処理部４４６を通じて空調ファン３３の回転数を決められた大きさに増大させ、更に通信処理部４４２を通じて圧縮制御部４１に指令を与えて圧縮機駆動処理部４１５を通じて圧縮機１１を決められた運転回転数に増大させ（ステップＳ５２４，ステップＳ５２５，ステップＳ５２６）、手順をリターンして今回の処理を終了する。
【０２９８】
ルーバー３７を開動作させることにより、吹出口３５から吹き出される室内空気の吹出方向が調整することができ、空調ファン３３の回転数を増大させることにより、吹出口３５から吹き出される室内空気の吹出空気量を増大させることができ、更に圧縮機１１の運転回転数を増大させることにより、空調蒸発器３２での冷却能力が向上する結果、吹出口３５から吹き出される室内空気の吹出温度が低下させることができる。
【０２９９】
このように導出した周辺絶対湿度が基準絶対湿度以上となる場合に該当するショーケース２の熱負荷が増大しているものと判断して、負荷低減情報に含まれるテーブルに基づき吹出口３５から吹き出される室内空気の吹出方向、吹出空気量及び吹出空気温度を制御することにより、該ショーケース２の熱負荷を低減させることができ、その結果、省エネルギー化を図ることができる。
＜実施の形態６＞
図３８は、本発明の実施の形態６である冷却システムを模式的に示す模式図である。尚、上述した実施の形態１での冷却システムと同一の構成を有するものには同一の符号を付してその説明を適宜省略する。
【０３００】
ここに例示する冷却システムは、冷凍機１００、ショーケース冷却ユニット２０、空調ユニット３０及び制御ユニット４０３を備えて構成してある。
【０３０１】
冷凍機１００は、例えば室外に設置されるものであり、図３９に示すようにインバータ圧縮機１１１と、定速圧縮機１１２と、凝縮器１２とを備えて構成してある。
【０３０２】
インバータ圧縮機１１１及び定速圧縮機１１２は、ともに冷媒を圧縮して高温高圧の状態（高温高圧のガス冷媒）にするものである。
【０３０３】
これらインバータ圧縮機１１１及び定速圧縮機１１２は、制御ユニット４０３を構成する圧縮制御部４１（圧縮機駆動処理部４１５）から与えられる指令に応じて駆動するものである。
【０３０４】
ここで、圧縮機１１の駆動について述べる。冷蔵用ショーケース１〜３、あるいは冷凍用ショーケース４〜６の冷却負荷が低い場合には、インバータ圧縮機１１１のみで運転される。そして、冷蔵用ショーケース１〜３、あるいは冷凍用ショーケース４〜６の冷却負荷が増大し、インバータ圧縮機１１１の運転回数数が最大値になると、定速圧縮機１１２が駆動開始してインバータ圧縮機１１１の運転回転数は最小値となる。
【０３０５】
その後、冷蔵用ショーケース１〜３、あるいは冷凍用ショーケース４〜６の冷却負荷が増大すると、インバータ圧縮機１１１の運転回転数が増大して、所定の低圧圧力設定値に調整される。
【０３０６】
その一方、冷蔵用ショーケース１〜３、あるいは冷凍用ショーケース４〜６の冷却負荷が小さくなると、定速圧縮機１１２を駆動停止させて、インバータ圧縮機１１１の運転回転数を最大値とし、更に冷蔵用ショーケース１〜３、あるいは冷凍用ショーケース４〜６の冷却負荷が小さくなると、インバータ圧縮機１１１の運転回転数を低減させ、所定の低圧圧力設定値に調整される。
【０３０７】
制御ユニット４０３は、冷却システムの動作を統括的に制御するものであり、図３９に示すように、圧縮制御部４１と、ブースター制御部４２と、運転台数制御部４５とを備えて構成してある。
【０３０８】
運転台数制御部４５は、設定記憶部４５１、通信処理部４５２、庫内温度監視部４５３、回数計測部４５４、判断部４５５及び圧縮機駆動指令部４５６を備えて構成してある。
【０３０９】
設定記憶部４５１は、運転台数制御部４５が制御を行うのに必要なプログラムやデータを設定し、かつ記憶するためのものであり、特に本実施の形態６では、目標冷蔵庫内温度の上限値及び下限値、目標冷凍庫内温度の上限値及び下限値、待機時間、増減回数の基準回数、電磁弁運転率閾値を設定し、かつ記憶している。通信処理部４５２は、圧縮制御部４１及びブースター制御部４２のそれぞれとの間で種々の情報の通信処理を行うためのものである。
【０３１０】
庫内温度監視部４５３は、圧縮制御部４１から冷蔵庫内温度センサ２１５を通じて検出した冷蔵庫内温度、並びにブースター制御部４２から冷凍庫内温度センサ２２５を通じて検出した冷凍庫内温度を、通信処理部４５２を通じて入力し、それぞれの庫内温度（冷蔵庫内温度及び冷凍庫内温度）が目標温度範囲内にあるか否かを監視するものである。
【０３１１】
ここで、目標温度範囲内は、冷蔵庫内温度の場合には、目標冷蔵庫内温度の上限値以下で目標冷蔵庫内温度の下限値以上となる範囲をいい、冷凍庫内温度の場合には、目標冷凍庫内温度の上限値以下で目標冷凍庫内温度の下限値以上となる範囲をいう。
【０３１２】
回数計測部４５４は、圧縮機１１の増減回数、すなわちインバータ圧縮機１１１のみ運転の場合と、インバータ圧縮機１１１及び定速圧縮機１１２が運転の場合との切替回数を計測するものである。尚、この回数計測部４５４は、予め設定された設定時間における圧縮機１１の増減回数を計測するものである。
【０３１３】
判断部４５５は、種々の判断を行うものであり、より詳細には、回数計測部４５４により計測される所定時間内の圧縮機１１の増減回数が設定記憶部４５１に記憶される基準回数を超えたか否か、詳細は後述するが圧縮制御部４１やブースター制御部４２から入力する電磁弁運転率（冷蔵用電磁弁運転率及び冷凍用電磁弁運転率）が設定記憶部４５１に記憶される運転率閾値を超えたか否か、更に設定記憶部４５１に記憶される待機時間が経過したか否かを判断するものである。
【０３１４】
圧縮機駆動指令部４５６は、圧縮制御部４１を構成する圧縮機駆動処理部４１５に対して通信処理部４５２を介して種々の駆動指令を与えるものである。より詳細に説明すると、圧縮機駆動処理部４１５に対して圧縮機１１の増減（切替）の停止指令を与えたり、運転台数の低減、あるいは維持する旨の指令を与えたりするものである。
【０３１５】
図４０は、制御ユニット４０３が実施する運転台数制御処理の内容を示すフローチャートである。
【０３１６】
以下、この図４０を参照しながら、本実施の形態６における冷却システムの動作について説明する。尚、以下においては、説明の便宜上、冷蔵用ショーケース１〜３のみを適用対象として説明する。
【０３１７】
運転台数制御処理において運転台数制御部４５は、回数計測部４５４を通じて設定時間における圧縮機１１の増減回数を計測する（ステップＳ６０１）。
【０３１８】
圧縮機１１の増減回数を計測した結果、判断部４５５を通じて、増減回数が設定記憶部４５１に記憶される基準回数を超えたことが判断された場合（ステップＳ６０２：Ｙｅｓ）、運転台数制御部４５は、圧縮機駆動指令部４５６を通じて圧縮制御部４１の圧縮機駆動処理部４１５に増減停止指令を与える（ステップＳ６０３）。
【０３１９】
これにより、圧縮機１１の切替は停止することになる。かかる増減停止指令を与えて所定の待機時間が経過したことが判断部４５５を通じて判断された場合（ステップＳ６０４：Ｙｅｓ）、運転台数制御部４５は、庫内温度監視部４５３を通じて圧縮制御部４１から冷蔵庫内温度を入力し、冷蔵庫内温度が目標温度範囲内にあるか否かを判断する（ステップＳ６０５，ステップＳ６０６）。
【０３２０】
冷蔵庫内温度が目標温度範囲内にある場合（ステップＳ６０６：Ｙｅｓ）、運転台数制御部４５は、ステップＳ６０３で増減停止指令を与えた時点での圧縮機１１の運転台数が複数であるか否かを判断し（ステップＳ６０７）、すなわち増減回数が基準回数を超えた時点での圧縮機１１の運転台数が複数であるか否かを判断し、複数の場合（ステップＳ６０７：Ｙｅｓ）には、複数台運転制御処理を実施し（ステップＳ６０８）、単数の場合（ステップＳ６０７：Ｎｏ）、単数台運転制御処理を実施する（ステップＳ６０９）。
【０３２１】
一方、冷蔵庫内温度が目標温度範囲内にない場合（ステップＳ６０６：Ｎｏ）、運転台数制御部４５は、冷蔵庫内温度が目標冷蔵庫内温度の下限値未満であるか否かを判断する（ステップＳ６１０）。冷蔵庫内温度が目標冷蔵庫内温度未満である場合（ステップＳ６１０：Ｙｅｓ）、運転台数制御部４５は、圧縮機１１の運転台数が複数であるか否かを判断する（ステップＳ６１１）。
【０３２２】
圧縮機１１の運転台数が複数の場合（ステップＳ６１１：Ｙｅｓ）、運転台数制御部４５は、圧縮機駆動指令部４５６を通じて圧縮制御部４１の圧縮機駆動処理部４１５に対し運転台数低減指令を与えて（ステップＳ６１２）、その後に手順をリターンして今回の処理を終了する。
【０３２３】
圧縮機１１の運転台数が単数の場合（ステップＳ６１１：Ｎｏ）、運転台数制御部４５は、圧縮機駆動指令部４５６を通じて圧縮制御部４１の圧縮機駆動処理部４１５に対し運転台数維持指令を与えて（ステップＳ６１３）、その後に手順をリターンして今回の処理を終了する。
【０３２４】
冷蔵庫内温度が目標冷蔵庫内温度の下限値未満でない場合（ステップＳ６１０：Ｎｏ）、すなわち冷蔵庫内温度が目標冷蔵庫内温度の上限値を超えている場合、運転台数制御部４５は、圧縮機１１の運転台数が複数であるか否かを判断する（ステップＳ６１４）。
【０３２５】
圧縮機１１の運転台数が複数の場合（ステップＳ６１４：Ｙｅｓ）、運転台数制御部４５は、圧縮機駆動指令部４５６を通じて圧縮制御部４１の圧縮機駆動処理部４１５に対し運転台数維持指令を与えて（ステップＳ６１５）、その後に手順をリターンして今回の処理を終了する。
【０３２６】
圧縮機１１の運転台数が単数の場合（ステップＳ６１４：Ｎｏ）、運転台数制御部４５は、圧縮機駆動指令部４５６を通じて圧縮制御部４１の圧縮機駆動処理部４１５に対し運転台数増加指令を与えて（ステップＳ６１６）、その後に手順をリターンして今回の処理を終了する。
【０３２７】
図４１は、図４０に示した複数台運転制御処理の処理内容を示すフローチャートである。複数台運転制御処理において運転台数制御部４５は、通信処理部４５２を通じて圧縮制御部４１の運転率演算部４１４より冷蔵用電磁弁２１４の運転率を入力した場合（ステップＳ６０８１：Ｙｅｓ）、判断部４５５を通じて、入力した冷蔵用電磁弁２１４の運転率が設定記憶部４５１に記憶される運転率閾値以下であるか否かを判断する（ステップＳ６０８２）。
【０３２８】
冷蔵用電磁弁２１４の運転率が運転率閾値以下である場合（ステップＳ６０８２：Ｙｅｓ）、運転台数制御部４５は、圧縮機駆動指令部４５６を通じて圧縮制御部４１の圧縮機駆動処理部４１５に対し運転台数低減指令を与えて（ステップＳ６０８３）、手順をリターンして今回の処理を終了する。これにより、圧縮機駆動処理部４１５は、インバータ圧縮機１１１のみを運転させることになる。
【０３２９】
一方、冷蔵用電磁弁２１４の運転率が運転率閾値以下でない場合（ステップＳ６０８２：Ｎｏ）、すなわち冷蔵用電磁弁２１４の運転率が運転率閾値を超えている場合、運転台数制御部４５は、圧縮機駆動指令部４５６を通じて圧縮制御部４１の圧縮機駆動処理部４１５に対し運転台数維持指令を与えて（ステップＳ６０８４）、手順をリターンして今回の処理を終了する。
【０３３０】
これにより、圧縮機１１の運転台数は複数のまま維持される。かかる複数台運転制御処理を実施した運転台数制御部４５は、その後に手順をリターンして運転台数制御処理を終了する。
【０３３１】
図４２は、図４０に示した単数台運転制御処理の処理内容を示すフローチャートである。単数台運転制御処理において運転台数制御部４５は、通信処理部４５２を通じて圧縮制御部４１の運転率演算部４１４より冷蔵用電磁弁２１４の運転率を入力した場合（ステップＳ６０９１：Ｙｅｓ）、判断部４５５を通じて、入力した冷蔵用電磁弁２１４の運転率が設定記憶部４５１に記憶される運転率閾値以下であるか否かを判断する（ステップＳ６０９２）。
【０３３２】
冷蔵用電磁弁２１４の運転率が運転率閾値以下である場合（ステップＳ６０９２：Ｙｅｓ）、運転台数制御部４５は、圧縮機駆動指令部４５６を通じて圧縮制御部４１の圧縮機駆動処理部４１５に対し運転回転数低減指令を与えて（ステップＳ６０９３）、手順をリターンして今回の処理を終了する。これにより、圧縮機駆動処理部４１５は、インバータ圧縮機１１１の運転回転数を低減させることになる。
【０３３３】
一方、冷蔵用電磁弁２１４の運転率が運転率閾値以下でない場合（ステップＳ６０９２：Ｎｏ）、すなわち冷蔵用電磁弁２１４の運転率が運転率閾値を超えている場合、運転台数制御部４５は、圧縮機駆動指令部４５６を通じて圧縮制御部４１の圧縮機駆動処理部４１５に対し運転台数維持指令を与えて（ステップＳ６０９４）、手順をリターンして今回の処理を終了する。
【０３３４】
これにより、圧縮機１１の運転台数は単数のまま維持される。かかる単数台運転制御処理を実施した運転台数制御部４５は、その後に手順をリターンして運転台数制御処理を終了する。
【０３３５】
以上説明したように本実施の形態６の冷却システムによれば、上述した実施の形態１の冷却システムが奏する作用効果に加えて、以下のような作用効果を奏する。
【０３３６】
すなわち、設定時間における圧縮機１１の運転台数の増減回数が基準回数を超え、かかる基準回数を超えた時点での圧縮機１１の運転台数が複数であって、冷蔵用ショーケース１〜３の収容庫１ａ〜３ａの冷蔵庫内温度が目標温度範囲内にある場合、冷蔵用電磁弁２１４の運転率が運転率閾値以下のときには、圧縮機１１の運転台数を減少させる一方、冷蔵用電磁弁２１４の運転率が運転率閾値を超えるときには、圧縮機１１の運転台数を維持させるので、圧縮機１１の運転台数を頻繁に切り替えずに収容庫１ａ〜３ａを良好に冷却することができ、しかも必要な台数の圧縮機１１で収容庫１ａ〜３ａを冷却するので運転の省エネルギー化を図ることができる。
【０３３７】
上記冷却システムによれば、設定時間における圧縮機１１の運転台数の増減回数が基準回数を超え、かかる基準回数を超えた時点での圧縮機１１の運転台数が単数であって、冷蔵用ショーケース１〜３の収容庫１ａ〜３ａの冷蔵庫内温度が目標温度範囲内にある場合、冷蔵用電磁弁２１４の運転率が運転率閾値以下のときには、圧縮機１１の運転回転数を減少させる一方、冷蔵用電磁弁運転率が運転率閾値を超えるときには、圧縮機１１の運転台数を維持させるので、圧縮機１１の運転台数を頻繁に切り替えずに収容庫１ａ〜３ａを良好に冷却することができ、しかも必要な運転回転数に低減させて収容庫１ａ〜３ａを冷却するので運転の省エネルギー化を図ることができる。
【０３３８】
また、冷却システムによれば、予め設定された待機時間中は圧縮機１１の運転台数の増減を停止させるので、対象となる収容庫１ａ〜３ａの内部状態の推移を確認することが可能になり、これによっても頻繁な圧縮機１１の運転台数の切替を抑制することができる。
【０３３９】
以上説明した本発明の実施の形態６においては、電磁弁の運転率を基準にして圧縮機１１の運転台数の制御を行っていたが、本発明はこれに限定されるものではなく、以下のように冷蔵用蒸発器２１１や冷凍用蒸発器２２１での過熱度を基準にして圧縮機１１の運転台数の制御を行っても良い。
【０３４０】
例えば、冷却システムは、上記構成の他に、図４３に示すように、冷蔵用蒸発器２１１の入口温度センサ２１１ａ、冷蔵用蒸発器２１１の出口温度センサ２１１ｂ、冷凍用蒸発器２２１の入口温度センサ２２１ａ、冷凍用蒸発器２２１の出口温度センサ２２１ｂを備えている。
【０３４１】
冷蔵用蒸発器２１１の入口温度センサ２１１ａは、冷蔵用蒸発器２１１の入口近傍を通過する冷媒の温度を検出するものである。冷蔵用蒸発器２１１の出口温度センサ２１１ｂは、冷蔵用蒸発器２１１の出口近傍を通過する冷媒の温度を検出するものである。冷凍用蒸発器２２１の入口温度センサ２２１ａは、冷凍用蒸発器２２１の入口近傍を通過する冷媒の温度を検出するものである。冷凍用蒸発器２２１の出口温度センサ２２１ｂは、冷凍用蒸発器２２１の出口近傍を通過する冷媒の温度を検出するものである。
【０３４２】
制御ユニット４０３を構成する圧縮制御部４１は、上記構成の他に、過熱度演算部４１８を備えている。この過熱度演算部４１８は、冷蔵用蒸発器２１１の出口温度センサ２１１ｂで検出された温度と、冷蔵用蒸発器２１１の入口温度センサ２１１ａで検出された温度との差として定義される過熱度を演算するものである。
【０３４３】
また、制御ユニット４０３を構成するブースター制御部４２は、上記構成の他に、過熱度演算部４２７を備えている。この過熱度演算部４２７は、冷凍用蒸発器２２１の出口温度センサ２２１ｂで検出された温度と、冷凍用蒸発器２２１の入口温度センサ２２１ａで検出された温度とから過熱度を演算するものである。
【０３４４】
そして、運転台数制御部４５は、設定記憶部４５１ａ、通信処理部４５２、庫内温度監視部４５３、回数計測部４５４、判断部４５５ａ及び圧縮機駆動指令部４５６を備えて構成してある。
【０３４５】
設定記憶部４５１ａは、運転台数制御部４５が制御を行うのに必要なプログラムやデータを設定し、かつ記憶するためのものであり、特に本変形例では、電磁弁運転率閾値の代わりに過熱度閾値を設定し、かつ記憶している。
【０３４６】
判断部４５５ａは、種々の判断を行うものであり、特に本変形例では、電磁弁運転率が設定記憶部４５１に記憶される運転率閾値を超えたか否かを判断する代わりに、過熱度が設定記憶部４５１ａに記憶される過熱度閾値を超えたか否かを判断するものである。
【０３４７】
図４４は、実施の形態６の変形例である制御ユニット４０３が実施する運転台数制御処理の内容を示すフローチャートである。
【０３４８】
以下、この図４４を参照しながら、本変形例である冷却システムの動作について説明する。尚、以下においては、説明の便宜上、冷蔵用ショーケース１〜３のみを適用対象として説明する。
【０３４９】
運転台数制御処理において運転台数制御部４５は、回数計測部４５４を通じて設定時間における圧縮機１１の増減回数を計測する（ステップＳ６２１）。
【０３５０】
圧縮機１１の増減回数を計測した結果、判断部４５５ａを通じて、増減回数が設定記憶部４５１ａに記憶される基準回数を超えたことが判断された場合（ステップＳ６２２：Ｙｅｓ）、運転台数制御部４５は、圧縮機駆動指令部４５６を通じて圧縮制御部４１の圧縮機駆動処理部４１５に増減停止指令を与える（ステップＳ６２３）。
【０３５１】
これにより、圧縮機１１の切替は停止することになる。かかる増減停止指令を与えて所定の待機時間が経過したことが判断部４５５ａを通じて判断された場合（ステップＳ６２４：Ｙｅｓ）、運転台数制御部４５は、庫内温度監視部４５３を通じて圧縮制御部４１から冷蔵庫内温度を入力し、冷蔵庫内温度が目標温度範囲内にあるか否かを判断する（ステップＳ６２５，ステップＳ６２６）。
【０３５２】
冷蔵庫内温度が目標温度範囲内にある場合（ステップＳ６２６：Ｙｅｓ）、運転台数制御部４５は、ステップＳ６２３で増減停止指令を与えた時点での圧縮機１１の運転台数が複数であるか否かを判断し（ステップＳ６２７）、すなわち増減回数が基準回数を超えた時点での圧縮機１１の運転台数が複数であるか否かを判断し、複数の場合（ステップＳ６２７：Ｙｅｓ）には、複数台運転制御処理を実施し（ステップＳ６２８）、単数の場合（ステップＳ６２７：Ｎｏ）、単数台運転制御処理を実施する（ステップＳ６２９）。
【０３５３】
一方、冷蔵庫内温度が目標温度範囲内にない場合（ステップＳ６２６：Ｎｏ）、運転台数制御部４５は、冷蔵庫内温度が目標冷蔵庫内温度の下限値未満であるか否かを判断する（ステップＳ６３０）。冷蔵庫内温度が目標冷蔵庫内温度未満である場合（ステップＳ６３０：Ｙｅｓ）、運転台数制御部４５は、圧縮機１１の運転台数が複数であるか否かを判断する（ステップＳ６３１）。
【０３５４】
圧縮機１１の運転台数が複数の場合（ステップＳ６３１：Ｙｅｓ）、運転台数制御部４５は、圧縮機駆動指令部４５６を通じて圧縮制御部４１の圧縮機駆動処理部４１５に対し運転台数低減指令を与えて（ステップＳ６３２）、その後に手順をリターンして今回の処理を終了する。
【０３５５】
圧縮機１１の運転台数が単数の場合（ステップＳ６３１：Ｎｏ）、運転台数制御部４５は、圧縮機駆動指令部４５６を通じて圧縮制御部４１の圧縮機駆動処理部４１５に対し運転台数維持指令を与えて（ステップＳ６３３）、その後に手順をリターンして今回の処理を終了する。
【０３５６】
冷蔵庫内温度が目標冷蔵庫内温度の下限値未満でない場合（ステップＳ６３０：Ｎｏ）、すなわち冷蔵庫内温度が目標冷蔵庫内温度の上限値を超えている場合、運転台数制御部４５は、圧縮機１１の運転台数が複数であるか否かを判断する（ステップＳ６３４）。
【０３５７】
圧縮機１１の運転台数が複数の場合（ステップＳ６３４：Ｙｅｓ）、運転台数制御部４５は、圧縮機駆動指令部４５６を通じて圧縮制御部４１の圧縮機駆動処理部４１５に対し運転台数維持指令を与えて（ステップＳ６３５）、その後に手順をリターンして今回の処理を終了する。
【０３５８】
圧縮機１１の運転台数が単数の場合（ステップＳ６３４：Ｎｏ）、運転台数制御部４５は、圧縮機駆動指令部４５６を通じて圧縮制御部４１の圧縮機駆動処理部４１５に対し運転台数増加指令を与えて（ステップＳ６３６）、その後に手順をリターンして今回の処理を終了する。
【０３５９】
図４５は、図４４に示した複数台運転制御処理の処理内容を示すフローチャートである。複数台運転制御処理において運転台数制御部４５は、通信処理部４５２を通じて圧縮制御部４１の過熱度演算部４２７より冷蔵用蒸発器２１１における過熱度を入力した場合（ステップＳ６２８１：Ｙｅｓ）、判断部４５５ａを通じて、入力した冷蔵用蒸発器２１１における過熱度が設定記憶部４５１ａに記憶される過熱度閾値を超えているか否かを判断する（ステップＳ６２８２）。
【０３６０】
冷蔵用蒸発器２１１における過熱度が過熱度閾値を超えている場合（ステップＳ６２８２：Ｙｅｓ）、運転台数制御部４５は、圧縮機駆動指令部４５６を通じて圧縮制御部４１の圧縮機駆動処理部４１５に対し運転台数低減指令を与えて（ステップＳ６２８３）、手順をリターンして今回の処理を終了する。これにより、圧縮機駆動処理部４１５は、インバータ圧縮機１１１のみを運転させることになる。
【０３６１】
一方、冷蔵用蒸発器２１１における過熱度が過熱度閾値を超えていない場合（ステップＳ６２８２：Ｎｏ）、運転台数制御部４５は、圧縮機駆動指令部４５６を通じて圧縮制御部４１の圧縮機駆動処理部４１５に対し運転台数維持指令を与えて（ステップＳ６２８４）、手順をリターンして今回の処理を終了する。
【０３６２】
これにより、圧縮機１１の運転台数は複数のまま維持される。かかる複数台運転制御処理を実施した運転台数制御部４５は、その後に手順をリターンして運転台数制御処理を終了する。
【０３６３】
図４６は、図４４に示した単数台運転制御処理の処理内容を示すフローチャートである。単数台運転制御処理において運転台数制御部４５は、通信処理部４５２を通じて圧縮制御部４１の過熱度演算部４２７より冷蔵用蒸発器２１１における過熱度を入力した場合（ステップＳ６２９１：Ｙｅｓ）、判断部４５５ａを通じて、入力した冷蔵用蒸発器２１１における過熱度が設定記憶部４５１ａに記憶される過熱度閾値を超えているか否かを判断する（ステップＳ６２９２）。
【０３６４】
冷蔵用蒸発器２１１における過熱度が過熱度閾値を超えている場合（ステップＳ６２９２：Ｙｅｓ）、運転台数制御部４５は、圧縮機駆動指令部４５６を通じて圧縮制御部４１の圧縮機駆動処理部４１５に対し運転回転数低減指令を与えて（ステップＳ６２９３）、手順をリターンして今回の処理を終了する。これにより、圧縮機駆動処理部４１５は、インバータ圧縮機１１１の運転回転数を低減させることになる。
【０３６５】
一方、冷蔵用蒸発器２１１における過熱度が過熱度閾値を超えていない場合（ステップＳ６２９２：Ｎｏ）、運転台数制御部４５は、圧縮機駆動指令部４５６を通じて圧縮制御部４１の圧縮機駆動処理部４１５に対し運転台数維持指令を与えて（ステップＳ６２９４）、手順をリターンして今回の処理を終了する。
【０３６６】
これにより、圧縮機１１の運転台数は単数のまま維持される。かかる単数台運転制御処理を実施した運転台数制御部４５は、その後に手順をリターンして運転台数制御処理を終了する。
【０３６７】
このような冷却システムによっても、設定時間における圧縮機１１の運転台数の増減回数が基準回数を超え、かかる基準回数を超えた時点での圧縮機１１の運転台数が複数であって、冷蔵用ショーケース１〜３の収容庫１ａ〜３ａの冷蔵庫内温度が目標温度範囲内にある場合、冷蔵用蒸発器２１１における過熱度が過熱度閾値を超えるときには、圧縮機１１の運転台数を減少させる一方、冷蔵用蒸発器２１１における過熱度が過熱度閾値以下のときには、圧縮機１１の運転台数を維持させるので、圧縮機１１の運転台数を頻繁に切り替えずに収容庫１ａ〜３ａを良好に冷却することができ、しかも必要な台数の圧縮機１１で収容庫１ａ〜３ａを冷却するので運転の省エネルギー化を図ることができる。
【０３６８】
上記冷却システムによれば、設定時間における圧縮機１１の運転台数の増減回数が基準回数を超え、かかる基準回数を超えた時点での圧縮機１１の運転台数が単数であって、冷蔵用ショーケース１〜３の収容庫１ａ〜３ａの冷蔵庫内温度が目標温度範囲内にある場合、冷蔵用蒸発器２１１における過熱度が過熱度閾値を超えるときには、圧縮機１１の運転回転数を減少させる一方、冷蔵用蒸発器２１１における過熱度が過熱度閾値以下のときには、圧縮機１１の運転台数を維持させるので、圧縮機１１の運転台数を頻繁に切り替えずに収容庫１ａ〜３ａを良好に冷却することができ、しかも必要な運転回転数に低減させて収容庫１ａ〜３ａを冷却するので運転の省エネルギー化を図ることができる。
【０３６９】
また、冷却システムによれば、予め設定された待機時間中は圧縮機１１の運転台数の増減を停止させるので、対象となる収容庫１ａ〜３ａの内部状態の推移を確認することが可能になり、これによっても頻繁な圧縮機１１の運転台数の切替を抑制することができる。
【産業上の利用可能性】
【０３７０】
以上のように、本発明に係る冷却システムは、ショーケースの収容庫の冷却に有用である。
【符号の説明】
【０３７１】
１〜６      ショーケース
１ａ〜６ａ  収容庫
１０        冷凍機
１１        圧縮機
１２        凝縮器
２０        ショーケース冷却ユニット
２１１      冷蔵用蒸発器
２１２      蓄冷槽
２１３      冷蔵用温度膨張弁
２１４      冷蔵用電磁弁
２１５      冷蔵庫内温度センサ
２１６      送風ファン
２２１      冷凍用蒸発器
２２２      蓄冷槽
２２３      冷凍用温度膨張弁
２２４      冷凍用電磁弁
２２５      冷凍庫内温度センサ
２２６      送風ファン
２３        ブースターユニット
２３１      ブースター圧縮機
２３２      ブースター電磁弁
２４        ブースター導入経路
２５        ブースター導入バルブ
２６        帰還バルブ
３０        空調ユニット
３１        空調膨張弁
３２        空調蒸発器
３３        空調ファン
３４        吸込口
３５        吹出口
３６        吸込温度センサ
４０        制御ユニット
４１        圧縮制御部
４１１      設定記憶部
４１２      通信処理部
４１３      冷蔵用電磁弁駆動処理部
４１４      運転率演算部
４１５      圧縮機駆動処理部
４１６      バルブ駆動処理部
４１７      温度比較部
４２        ブースター制御部
４２１      設定記憶部
４２２      通信処理部
４２３      冷凍用電磁弁駆動処理部
４２４      運転率演算部
４２５      ブースター電磁弁駆動処理部
４２６      ブースター圧縮機駆動処理部
【図１】
0005500291.tif 000002
【図２】
0005500291.tif 000003
【図３】
0005500291.tif 000004
【図４】
0005500291.tif 000005
【図５】
0005500291.tif 000006
【図６】
0005500291.tif 000007
【図７】
0005500291.tif 000008
【図８】
0005500291.tif 000009
【図９】
0005500291.tif 000010
【図１０】
0005500291.tif 000011
【図１１】
0005500291.tif 000012
【図１２】
0005500291.tif 000013
【図１３】
0005500291.tif 000014
【図１４】
0005500291.tif 000015
【図１５】
0005500291.tif 000016
【図１６】
0005500291.tif 000017
【図１７】
0005500291.tif 000018
【図１８】
0005500291.tif 000019
【図１９】
0005500291.tif 000020
【図２０】
0005500291.tif 000021
【図２１】
0005500291.tif 000022
【図２２】
0005500291.tif 000023
【図２３】
0005500291.tif 000024
【図２４】
0005500291.tif 000025
【図２５】
0005500291.tif 000026
【図２６】
0005500291.tif 000027
【図２７】
0005500291.tif 000028
【図２８】
0005500291.tif 000029
【図２９】
0005500291.tif 000030
【図３０】
0005500291.tif 000031
【図３１】
0005500291.tif 000032
【図３２】
0005500291.tif 000033
【図３３】
0005500291.tif 000034
【図３４】
0005500291.tif 000035
【図３５】
0005500291.tif 000036
【図３６】
0005500291.tif 000037
【図３７】
0005500291.tif 000038
【図３８】
0005500291.tif 000039
【図３９】
0005500291.tif 000040
【図４０】
0005500291.tif 000041
【図４１】
0005500291.tif 000042
【図４２】
0005500291.tif 000043
【図４３】
0005500291.tif 000044
【図４４】
0005500291.tif 000045
【図４５】
0005500291.tif 000046
【図４６】
0005500291.tif 000047